(57)【特許請求の範囲】
【請求項１】
眼鏡装用者の視覚の弱点を矯正する累進眼鏡レンズの製造方法であって、
−  遠用部および近用部基準点の垂直方向および水平方向の空間的な位置を、眼鏡装用者の個々のデータに応じて特定しあるいは決定する工程と、
−  個々に特定された遠用部および近用部基準点において、眼鏡レンズに求められる屈折度数が達成されるように眼鏡レンズを最適化しあるいは計算する工程と、
−  最適化あるいは計算された眼鏡レンズを精密機械によって製造する工程と、
を備え、
眼鏡装用者の個々のデータには、
−  遠用部の個々の目標物との距離および近用部の個々の目標物との距離、および
−  屈折を決定する際の遠用部の個々の目標物との距離および屈折を決定する際の近用部の個々の目標物との距離
に関するデータが含まれており、
遠用部および近用部基準点における装用値の適合は、以下の式、
遠用部：ｓｐｈＦｋ＝ｓｐｈＦＲ＋ＯＦＲ−ＯＦＧ
近用部：ｓｐｈＮｋ＝ｓｐｈＮＲ＋ＯＮＲ−ＯＮＧ
ａｄｄＫ＝ｓｐｈＮＫ−ｓｐｈＦＫ
により実行され、
ここで、
ｓｐｈＦＲ、ｓｐｈＮＲは、屈折の決定における遠用部および近用部の球面度であり、
ｓｐｈＦＫ、ｓｐｈＮＫは、遠用部および近用部における修正された球面度であり、
ａｄｄＫは、修正された加入度であり、
ＯＦＲ、ＯＮＲは、屈折を決定するときの遠用部および近用部における目標物の距離の逆数であり、
ＯＦＧ、ＯＮＧは、実際の装用状態における遠用部および近用部の目標物の距離の逆数である、ことを特徴とする方法。
【請求項２】
眼鏡レンズの中心合わせまたはフィッティングのポイントからの遠用部および／または近用部基準点の垂直方向の距離が、眼鏡装用者の個々のデータに応じて特定されることを特徴とする請求項１に記載の方法。
【請求項３】
−  眼鏡レンズの中心合わせポイントから測定した遠用部基準点の垂直方向の高さは、中心合わせまたはフィッティングのポイントの−４ｍｍ下方から最高で４ｍｍ上方の値に、個々のデータに応じて設定され、および／または
−  眼鏡レンズの中心合わせポイントから測定した近用部基準点の垂直方向の高さが、中心合わせまたはフィッティングのポイントの−１３ｍｍ〜−２０ｍｍ下方に、個々のデータに応じて設定されることを特徴とする請求項１または２に記載の方法。
【請求項４】
眼鏡装用者の個々のデータには、眼鏡レンズの遠用部、近用部および／または累進領域の選択あるいは重み付けに関連するデータが含まれていることを特徴とする請求項１乃至３のいずれか一項に記載の方法。
【請求項５】
眼鏡装用者の個々のデータには、眼鏡装用者の目の個々のパラメータおよび／または眼鏡装用者の目の前の眼鏡の位置が含まれていることを特徴とする請求項１乃至４のいずれか一項に記載の方法。
【請求項６】
眼鏡装用者の個々のデータには、
−  これまで装用してきた眼鏡に関するデータ、および／または
−  これまで装用してきた眼鏡について所望する改善に関するデータ
が含まれることを特徴とする請求項１乃至５のいずれか一項に記載の方法。
【請求項７】
眼鏡装用者の個々のデータには、
−  遠用部および近接部における視野の個々の主要方向に関連するデータ、および／または
−  個々の頭部および胴体の姿勢に関するデータ、および／または
−  眼鏡装用者の目の生理的なパラメータ、および／または
−  眼鏡レンズの美的特性に対する結像特性の重要性の選択および／または重み付け
が含まれることを特徴とする請求項１乃至６のいずれか一項に記載の方法。
【請求項８】
眼鏡装用者の個々のデータには、個々のデータのうち少なくとも２つの異なるカテゴリのデータが含まれ、かつ遠用部および／または近用部の基準点の位置を決定する工程は、
−  各カテゴリにおける眼鏡装用者の個々のデータに基づいて、各カテゴリ毎に遠用部基準点の理想的な位置および／または近用部基準点の理想的な位置を決定する工程と、
−  各カテゴリにおいて、決定された遠用部および／または近用部の基準点の理想的な位置に基づいて遠用部基準点の位置および／または近用部基準点の位置を決定する工程と、を有していることを特徴とする請求項１乃至７のいずれか一項に記載の方法。
【請求項９】
遠用部および／または近用部の基準点の位置が以下の式により計算され、
【数１】
0005642390.tif 000021
ここで、giは、ｉ番目のカテゴリの重み付けを示し、
yiDF,DNは、それぞれｉ番目のカテゴリにおける遠用部基準点ＤＦおよび近用部基準点ＤＮの理想的な位置を示し、かつ
Nは、異なるカテゴリの数を示していることを特徴とする請求項８に記載の方法。
【請求項１０】
眼鏡レンズの計算あるいは最適化が、眼鏡装用者の個々のデータを考慮してさらに実行されることを特徴とする請求項１乃至９のいずれか一項に記載の方法。
【請求項１１】
眼鏡装用者の個々のデータを入手する工程をさらに備えることを特徴とする請求項１乃至１０のいずれか一項に記載の方法。
【請求項１２】
遠用部および近用部の基準点の垂直方向および／または水平方向の位置が、マーキングに基づいて一義的に決定可能となるように、眼鏡レンズに恒久的あるいは非恒久的なマーキングを付加する工程をさらに備えることを特徴とする請求項１乃至１１のいずれか一項に記載の方法。
【請求項１３】
眼鏡装用者の視覚の弱点を矯正する累進眼鏡レンズを製造する装置であって、
−  眼鏡装用者が個々に必要とする眼鏡レンズの屈折度数に関するデータを含む、眼鏡装用者の個々のデータを入手する手段と、
−  眼鏡装用者の個々のデータの少なくとも一部に基づいて、遠用部および近用部の基準点の垂直方向および水平方向の空間的な位置を、入手しあるいは決定する入手あるいは決定手段と、
−  個々に特定された遠用部および近用部の基準点において、眼鏡レンズの必要な屈折度数が達成されるように眼鏡レンズの最適化あるいは計算を実行するべく構成された最適化あるいは計算手段と、
−  最適化あるいは計算された眼鏡レンズを製造する精密機械と、
を備え、
眼鏡装用者の個々のデータには、
−  遠用部の個々の目標物との距離および近用部の個々の目標物との距離、および
−  屈折を決定する際の遠用部の個々の目標物との距離および屈折を決定する際の近用部の個々の目標物との距離
に関するデータが含まれており、
遠用部および近用部基準点における装用値の適合は、以下の式、
遠用部：ｓｐｈＦｋ＝ｓｐｈＦＲ＋ＯＦＲ−ＯＦＧ
近用部：ｓｐｈＮｋ＝ｓｐｈＮＲ＋ＯＮＲ−ＯＮＧ
ａｄｄＫ＝ｓｐｈＮＫ−ｓｐｈＦＫ
により実行され、
ここで、
ｓｐｈＦＲ、ｓｐｈＮＲは、屈折の決定における遠用部および近用部の球面度であり、
ｓｐｈＦＫ、ｓｐｈＮＫは、遠用部および近用部における修正された球面度であり、
ａｄｄＫは、修正された加入度であり、
ＯＦＲ、ＯＮＲは、屈折を決定するときの遠用部および近用部における目標物の距離の逆数であり、
ＯＦＧ、ＯＮＧは、実際の装用状態における遠用部および近用部の目標物の距離の逆数である、ことを特徴とする装置。
【請求項１４】
眼鏡レンズの遠用部および／または近用部の基準点の中心合わせあるいはフィッティングのポイントからの垂直方向距離が、眼鏡装用者の個々のデータの少なくとも一部に応じて特定されることを特徴とする請求項１３に記載の装置。
【請求項１５】
−  眼鏡レンズの中心合わせポイントから測定した遠用部基準点の垂直方向の高さは、中心合わせまたはフィッティングのポイントの−４ｍｍ下方から最高で４ｍｍ上方の値に、個々のデータの少なくとも一部に応じて設定され、および／または
−  眼鏡レンズの中心合わせポイントから測定した近用部基準点の垂直方向の高さが、中心合わせまたはフィッティングポイントの−１３ｍｍ〜−２０ｍｍ下方の値に、個々のデータの少なくとも一部に応じて設定されることを特徴とする請求項１３または１４に記載の装置。
【請求項１６】
遠用部および／または近用部の基準点の空間的な位置の決定において考慮される眼鏡装用者の個々のデータの少なくとも一部が、眼鏡レンズの遠用部、近用部および／または累進領域の選択あるいは重み付けに関するデータを含んでいることを特徴とする請求項１３乃至１５のいずれか一項に記載の装置。
【請求項１７】
遠用部および／または近用部の基準点の空間的な位置の決定において考慮される眼鏡装用者の個々のデータの少なくとも一部が、眼鏡装用者の目の個々のパラメータおよび／または眼鏡装用者の目の前の眼鏡の配置を含んでいることを特徴とする請求項１３乃至１６のいずれか一項に記載の装置。
【請求項１８】
遠用部および／または近用部の基準点の空間的な位置の決定において考慮される眼鏡装用者の個々のデータの少なくとも一部が、
−  遠用部の個々の目標物との距離および／または近用部の個々の目標物との距離に関するデータ、および／または
−  屈折を決定するときの遠用部の個々の目標物との距離および／または屈折を決定するときの近用部の個々の目標物との距離に関するデータ、
を含んでいることを特徴とする請求項１３乃至１７のいずれか一項に記載の装置。
【請求項１９】
遠用部および／または近用部の基準点の空間的な位置の決定において考慮される眼鏡装用者の個々のデータの少なくとも一部が、
−  これまで装用してきた眼鏡に関するデータ、および／または
−  これまで装用してきた眼鏡について所望する改善に関するデータ
を含んでいることを特徴とする請求項１３乃至１８のいずれか一項に記載の装置。
【請求項２０】
遠用部および／または近用部の基準点の空間的な位置の決定において考慮される眼鏡装用者の個々のデータの少なくとも一部が、
−  遠用部および近接部における視野の個々の主要方向に関連するデータ、および／または
−  個々の頭部および胴体の姿勢に関するデータ、および／または
−  特に眼鏡装用者の目の生理的なパラメータ、および／または
−  眼鏡レンズの美的特性に対する結像特性の重要性の選択および／または重み付け
を含んでいることを特徴とする請求項１３乃至１９のいずれか一項に記載の装置。
【請求項２１】
コンピュータ上にロードされて実行されるときに、眼鏡レンズを計算して最適化する方法を実行するように構成されたコンピュータプログラムであって、
前記方法が、
−  眼鏡装用者の個々のデータに応じて、遠用部および近用部の基準点の垂直方向および水平方向の位置を特定しあるいは決定する工程と、
−  個々に特定された遠用部および近用部の基準点において、眼鏡レンズの必要な屈折度数が達成されるように、眼鏡レンズを最適化しあるいは計算する工程と、
−  最適化あるいは計算された眼鏡レンズを精密機械によって製造する工程と、
を有し、
眼鏡装用者の個々のデータには、
−  遠用部の個々の目標物との距離および近用部の個々の目標物との距離、および
−  屈折を決定する際の遠用部の個々の目標物との距離および屈折を決定する際の近用部の個々の目標物との距離
に関するデータが含まれており、
遠用部および近用部基準点における装用値の適合は、以下の式、
遠用部：ｓｐｈＦｋ＝ｓｐｈＦＲ＋ＯＦＲ−ＯＦＧ
近用部：ｓｐｈＮｋ＝ｓｐｈＮＲ＋ＯＮＲ−ＯＮＧ
ａｄｄＫ＝ｓｐｈＮＫ−ｓｐｈＦＫ
により実行され、
ここで、
ｓｐｈＦＲ、ｓｐｈＮＲは、屈折の決定における遠用部および近用部の球面度であり、
ｓｐｈＦＫ、ｓｐｈＮＫは、遠用部および近用部における修正された球面度であり、
ａｄｄＫは、修正された加入度であり、
ＯＦＲ、ＯＮＲは、屈折を決定するときの遠用部および近用部における目標物の距離の逆数であり、
ＯＦＧ、ＯＮＧは、実際の装用状態における遠用部および近用部の目標物の距離の逆数である、ことを特徴とするコンピュータプログラム。
【請求項２２】
コンピュータプログラムがその上に記録されている記録媒体であって、
前記コンピュータプログラムは、コンピュータ上にロードされて実行されるときに、眼鏡レンズを計算して最適化する方法を実行するように構成されており、
前記方法が、
−  眼鏡装用者の個々のデータに応じて、遠用部および近用部の基準点の垂直方向および水平方向の位置を特定しあるいは決定する工程と、
−  個々に特定された遠用部および近用部の基準点において、眼鏡レンズの必要な屈折度数が達成されるように、眼鏡レンズを最適化しあるいは計算する工程と、
−  最適化あるいは計算された眼鏡レンズを精密機械によって製造する工程と、
を有し、
眼鏡装用者の個々のデータには、
−  遠用部の個々の目標物との距離および近用部の個々の目標物との距離、および
−  屈折を決定する際の遠用部の個々の目標物との距離および屈折を決定する際の近用部の個々の目標物との距離
に関するデータが含まれており、
遠用部および近用部基準点における装用値の適合は、以下の式、
遠用部：ｓｐｈＦｋ＝ｓｐｈＦＲ＋ＯＦＲ−ＯＦＧ
近用部：ｓｐｈＮｋ＝ｓｐｈＮＲ＋ＯＮＲ−ＯＮＧ
ａｄｄＫ＝ｓｐｈＮＫ−ｓｐｈＦＫ
により実行され、
ここで、
ｓｐｈＦＲ、ｓｐｈＮＲは、屈折の決定における遠用部および近用部の球面度であり、
ｓｐｈＦＫ、ｓｐｈＮＫは、遠用部および近用部における修正された球面度であり、
ａｄｄＫは、修正された加入度であり、
ＯＦＲ、ＯＮＲは、屈折を決定するときの遠用部および近用部における目標物の距離の逆数であり、
ＯＦＧ、ＯＮＧは、実際の装用状態における遠用部および近用部の目標物の距離の逆数である、ことを特徴とする記録媒体。
【発明の詳細な説明】
【技術分野】
【０００１】
本発明は、累進眼鏡レンズの製造方法、それに関連する装置、コンピュータプログラム製品、記録媒体、および累進眼鏡レンズの使用に関する。
【背景技術】
【０００２】
個人用の眼鏡レンズ、特に個人用の累進眼鏡レンズは、多数の特許公開公報、例えばDE 197 01 312、DE 103 13 275、WO 01/81979に記載されている。これらのレンズは、通常の眼鏡レンズより明らかに良好な結像特性を呈する。眼鏡装用者における個々の装用状態が計算あるいは最適化において、考慮されるからである。
【０００３】
個々の装用位置および装用状態における眼鏡レンズ、特に累進眼鏡レンズの計算あるいは最適化は、技術的および光学的に高度な水準を達成してきた。例えば従来技術によると、累進眼鏡レンズは、個々の処方（球面度(sph), 円柱度(cyl), 円柱軸(axis), 加入度(add), プリズム(prism), 基底(base)）および眼鏡装用者の目の前にあるレンズの個々の位置（角膜頂点間距離ＣＶＤ、反り角ＦＦＡ、前傾角ＦI、瞳孔間距離）を考慮に入れて、注文書を受け取った後にオンラインで最適化しかつ計算できる。
【発明の概要】
【発明が解決しようとする課題】
【０００４】
この目的は、請求項１の特徴による累進眼鏡レンズの製造方法、請求項１３の特徴による累進眼鏡レンズの製造装置、請求項２１の特徴によるコンピュータプログラム、および請求項２２の特徴による記録媒体により解決される。好ましい実施形態は、従属クレームの主題である。
【課題を解決するための手段】
【０００５】
本発明によると、以下の工程を備える、眼鏡装用者の視覚の弱点を矯正する累進眼鏡レンズの製造方法が提案される。
−  遠用部および／または近用部の基準点の垂直方向および／または水平方向の空間位置を特定しあるいは決定する工程、および
−  個々に特定された遠用および／または近用基準点において、必要とされる眼鏡レンズの屈折度数が達成されるように眼鏡レンズを最適化しあるいは計算する工程、
【０００６】
累進眼鏡レンズにおいては、マーキングされた４つのポイントが眼鏡レンズ上にあるが、これらは眼鏡レンズ上の少なくとも一つの恒久的なマーキングおよびこの恒久的なマーキングに対するこれらの４つのポイントの予め定められた再構築ルール（例えば、EN ISO 8989-2を参照）により、いつでも再構築できる。これらのポイントは規格（EN ISO 13666）および例えば"Handbuch fur Augenoptik", Zeiss, Vol. 4 2000, page 117に記載されている。基準点の空間的な位置は、通常は、眼鏡レンズの非恒久的なマーキング（例えば、印付け）によって、マーキングされる（EN ISO 13 666 and DIN 58 208 part2を参照）。
【０００７】
遠用部基準点は、実際に眼鏡レンズを使用するときに目の前方において、好ましくは実際に光線の経路内にある、予め設定された遠用部度数が生じる前側表面上の点として定義される。
【０００８】
近用部基準点は、眼鏡レンズを使用するときに目の前方にある、好ましくは実際に光線の経路内にある、予め設定された近用部度数が生じる前側表面上の点として定義される。
【０００９】
プリズム基準点は、完成したレンズのプリズム度数が決定される、製造業者により示された前側表面上の点として定義される。
【００１０】
中心合わせポイントは、それにフィッティングポイントを一致させる点として定義されるが、ここでフィッティングポイントは、累進眼鏡レンズの前側表面上の点であって、製造業者による、目の前における眼鏡レンズの位置決めの基準点として役立つ点である。
【００１１】
眼鏡レンズ、特に累進眼鏡レンズを製造する従来の方法によると、基準点、特に遠用部および近用部の基準点の位置は、各眼鏡レンズ毎に製造業者によって、固定的に設定される。これらの位置は、眼鏡装用者の個々のデータとはほとんど無関係である。すなわち、これらの基準点の位置は、各眼鏡装用者の個々のデータに応じて選択されかつ特定されることがない。
【００１２】
完成した眼鏡レンズの眼鏡フレームへの中心合わせは、眼鏡の中心合わせの異なる要件により行うことができる。
【００１３】
１．視野の要件
２．回転中心の要件
３．基準点の要件
【００１４】
眼鏡レンズの中心合わせの詳細は、例えば"Optik und Technik der Brille", H. Diepes and R. Blendowske, 2002, Optische Fachveroffentlichung GmbH, Heidelberg, page 308に説明されている。なお、本願明細書に定義されていない全ての用語を説明するために、この本を明示的に参照するものとする。
【００１５】
累進眼鏡レンズの中心合わせにおいては、視野の要件および基準点の要件の分野が特に重要である。
【００１６】
視野の要件とは、頭部および胴体が習慣的な姿勢にあるときに目標物との所望の距離において、両眼の視野が一致するというものである。累進眼鏡レンズは、頭部および胴体が通常の習慣的な姿勢にあり、かつ真っ直ぐ前方を見たときに（視野が０度方向）、中心合わせ点が瞳孔中心の前方に位置するように中心合わせされる。それによって、視野の要件は常に満たされる。
【００１７】
基準点の要件は、基準点が２つの目の主要な視点と一致するというものである。眼鏡装用者の視野の主要な方向は固有のものであって眼鏡装用者の個別的な特性であり、基準点は眼鏡レンズ上に特定される。
【００１８】
遠用部基準点および近用部基準点が（個別にではなく）特定されている累進眼鏡レンズの従来の製造方法によると、基準点の要件が通常は満たされず、疲労および不適合に加えて眼鏡レンズあるいは眼鏡の結像特性の悪化に至ることが、本発明において、見出された。より詳しくは、基準点を特定する従来の方法により製造された累進眼鏡レンズにおいては、眼鏡装用者の遠用部および近用部における視野の主要方向が製造業者により規定された眼鏡レンズ上の基準点と偶然に一致したときに、基準点の要件だけが満たされることが本発明において、見出された。しかしながら、多くの場合、視野の主要方向と遠用部基準点および近用部基準点の位置は一致しない。例えば、遠用部基準点が中心合わせポイントより４ｍｍ上方にあり、かつ近用部基準点が中心合わせポイントの１８ｍｍ下方にあると（通常の眼鏡レンズにおいて、標準的な値）、「遠用部」の視野の主要方向は０度方向の上方約８度でなければならず、かつ「近用部」の視野の主要方向は視野の０度方向の下方約３６度でなければならない。しかしながら、個人の視野の主要方向がそれらから逸脱すると、基準点の要件はもはや満たすことができず、眼鏡装用者は視野の主要方向を眼鏡レンズに合わせなければならない。
【００１９】
本発明は、基準点の空間的な位置、特に垂直方向の位置を特定する従来の手順との関係を断つものである。
【００２０】
それに代えて、遠用部および近用部の基準点の空間的な位置、特に垂直方向の位置を、眼鏡装用者の個別のデータに応じて（ある範囲内で）自由に変化させるとともに、個々の眼鏡装用者についてそれらを特定することを提案する。
【００２１】
遠用部および／または近用部の基準点の最適な位置を個々に決定した後、このように特定された「遠用部および近用部」の個々の基準点において、眼鏡装用者が必要とする予め定められた遠用部および近用部の度数が達成されるように、眼鏡レンズが最適化される。ここで度数とは、好ましくは装用度数、すなわち装用位置における眼鏡レンズの度数を指す。個々に決定された遠用部および／または近用部の基準点の位置は、個々の眼鏡レンズ設計または個々の眼鏡レンズの計算または最適化において、設計パラメータとして考慮に入れる。個々に特定可能な遠用部および近用部の基準点は、以下において、それぞれ「遠用部」設計点および「近用部」設計点と言う。
【００２２】
特に、個々に決定された遠用部基準点あるいは「遠用部」設計点は、それによって、眼鏡装用者の遠用部視力が最適に修正されるポイントに対応すると共に、眼鏡装用者の個人的な視覚の習慣に対応する。個々に決定された近用部基準点あるいは「近用部」設計点は、それによって、眼鏡装用者の近用部における視力の調整が最適に修正されるポイントに対応すると共に、それらにとって快適な方法でそれらの視野を低くすることができる。
【００２３】
眼鏡レンズの計算あるいは最適化は、好ましくは少なくとも一つの収差の目標値を考慮に入れる目標機能の最小化によって、生じる。
【００２４】
好ましくは、眼鏡レンズの計算または最適化は、以下の形の目標関数を最小化することにより実行される。
【００２５】
【数１】
0005642390.tif 000002
ここで：
Si,target：少なくとも一つの光学特性の空間的な分布のｉ番目の評価点における局所的な目標値、
Si：ｉ番目の評価点における局所的な光学特性、
gi,s：局所的な重み付けである。
【００２６】
好ましくは、累進眼鏡レンズの最適化は、以下の形の目標関数を最小化することにより実施される。
【００２７】
【数２】
0005642390.tif 000003
ここで、
△Ri,target：ｉ番目の評価点における局所的な屈折誤差の目標値。
△Ri：ｉ番目の評価点における実際の局所的な屈折誤差。
Asti,target：ｉ番目の評価点における局所的な非点収差の偏差あるいは局所的な非点収差の誤差。
Asti：ｉ番目の評価点における局所的な非点収差の重み付け。
gi,△R：ｉ番目の評価点における局所的な屈折誤差の重み付け。
gi,Ast：ｉ番目の評価点における局所的な非点収差の偏差の重み付け。
【００２８】
個々に決定された遠用部および／または近用部の基準点においては、目標とする収差（特に非点収差の偏差および屈折の誤差）はできる限り小さく、好ましくは実質的にゼロに維持される。
【００２９】
１つ若しくは複数の収差についての眼鏡レンズ全体における目標値の空間的分布は、眼鏡レンズの最適化において、目標値として考慮に入れるが、この眼鏡レンズの設計を特徴づけている。この眼鏡レンズの設計は、特に屈折誤差（すなわち、眼鏡レンズの屈折度数の違いおよび屈折により決定される屈折度数）の分布、および／または非点収差の誤差あるいは非点収差の偏差（すなわち、眼鏡レンズの非点収差の違いおよび屈折により決定される非点収差）の分布によって、特徴づけられる。これらの値は、好ましくは装用時の値、すなわち眼鏡レンズを装用した位置における値である。さらにまた、眼鏡レンズの設計には、拡大誤差、歪誤差あるいは他の収差の目標値の分布が含まれる。目標値、拡大誤差、歪誤差あるいは他の収差の目標値はまた、目標関数において、考慮に入れる。加えて、眼鏡レンズ設計には適切な対象モデルが含まれる。対象モデルには、例えば主要線に沿った相互の対象距離として定義される対象距離機能が含まれる。適切な目標物モデルの実施例は、DIN 58 208 part 2に定義されている（イメージ６を参照）。同様に、標準化された装用位置は、DIN 58 208 part 2に定義されている。
【００３０】
通常、累進的な眼鏡の設計は、遠用部、近用部、中間あるいは累進領域を含む。０．５Ｄの非点収差線が、通常、周縁からの個々の視野領域の境界を定めるために用いられる。しかしながら、視野領域の限界を定めるために、他の等非点収差線、例えば０．７５Ｄあるいは１．０Ｄの等非点収差線を用いることも可能である。したがって、視野領域は、水平方向においては、こめかみ側と鼻側の等非点収差線、好ましくは鼻とこめかみとの間の０．５Ｄの等非点収差線の間の表面から構成される。したがって、視野領域は、鼻側の等非点収差線とこめかみ側の等非点収差線（例えば０．５Ｄの等非点収差線）によって、周縁からの限界が定められる。
【００３１】
加入度の１５％の屈折度数の増加が達成される、主要線上でポイント(ｘFP, ｙFP)を通過する水平線(x, y = yFP)は、遠用部領域からの垂直方向における累進領域の限界を定める役割を果たす。これにより、目標非点収差が０．５Ｄ以下である、水平線(x, y = yFP)上あるいはそれより上方の全てのポイントは遠用部領域に属すると考えることができる。
【００３２】
加入度の８５％の屈折度数の増加が達成される、主要線上のポイント(XNP, YNP)を通過する水平線(x, y = yNP)は、近用部領域に対する累進領域の垂直方向の限界を定める役割を果たす。これにより、水平線(x, y = yNP)上あるいはそれより下方の目標非点収差が０．５Ｄ以下の全てのポイントは、近用部領域に属すると考えることができる。
【００３３】
２つの水平線(x, y = yFP)および(x, y = yNP)の間の目標非点収差が０．５Ｄ以下の全てのポイント(x, y)は、累進領域に属すると考えることができる。もちろん、複数の視野領域は、異なる適切な方法によって、互いの水平方向の限界を定めることができる。
【００３４】
主要線上のポイントにおける屈折度数の増加は、このポイントにおける目標屈折度数と遠用部基準点における屈折度数の差である。加入度は、遠用部および近用部の基準点における目標屈折度数の違いとして定義される。
【００３５】
好ましくは、垂直方向は、眼鏡レンズが例えば平均的な装用位置（例えば、DIN 58 208 part 2にて定義されている）あるいは個々の装用位置にあるときの、眼鏡レンズ装用位置における垂直方向に合致する。好ましくは、眼鏡レンズは個々の装用位置に配置される。座標系は、好ましくは眼鏡レンズの目標物側表面上の座標系であり、座標系の原点は眼鏡レンズの中心合わせポイントあるいはフィッティングポイントに一致する垂直方向および水平方向の軸は、幾何学的な中心または中心合わせポイントあるいはフィッティングポイントにおける目標物側表面の接平面上にある。眼鏡レンズの２つの恒久的な刻印を接続する線は、好ましくは水平方向の軸に平行である。
【００３６】
例えば遠用部および／または近用部の基準点の位置の相違によって生じる異なるデザイン、すなわち、収差の目標値（特に非点収差の偏差および／または屈折誤差の空間的な分布の目標値）が異なる累進眼鏡レンズを製造するためには、対応する異なる設計あるいは目標値を設定しあるいは作成しなければならず、かつそれに基づいて最適化を実行しなければならない。したがって、本出願の個々の眼鏡レンズ設計の計算には、個々の眼鏡レンズの設計に属する個々の収差の目標値、特に非点収差の偏差および／または屈折誤差の目標値の計算が含まれる。
【００３７】
（個々の）遠用部および／または近用部の基準点の様々な位置に応じた眼鏡レンズ設計（または目標値）は、遠用部および／または近用部の基準点の各位置について再計算できる。あるいは、遠用部および／または近用部の基準点の位置の各組合せについて、好ましくは眼鏡装用者の目の個々のパラメータおよび／または装用の個々の状態を考慮に入れつつ、個々の眼鏡レンズの設計を予め計算して、例えばデータベースに記憶しておくことができる。しかしながら、好ましくは、遠用部および／または近用部の基準点の様々な位置における個々の眼鏡レンズ設計の計算は、予め決定したベースあるいは第一の設計の変換（伸張あるいは圧縮またはスクイジング）により実行される。
【００３８】
本発明の方法により、遠用部および近用部の基準点あるいは本発明によって、最適化されかつ製造された眼鏡レンズの「遠用部」および「近用部」の設計ポイントと、眼鏡装用者の視野の主要な方向との一致が確実なものとなる。
【００３９】
遠用部および／または近用部の基準点の位置をある範囲内で自由に選択できることは、眼鏡レンズの個々の設計の決定および眼鏡レンズの最適化における自由度の大幅な追加をもたらす。これにより、位置、特に垂直方向の位置、および選択的に視覚領域（遠用部、近用部、中間あるいは累進領域）のサイズは、ある範囲で自由にかつ個々に選択することができ、かつ個々の装用状況に最適に適合させることができる。眼鏡レンズの遠用部および近用部の基準点を、眼鏡装用者の視野の主要方向に最適に適合させることができるので、視野のニーズに合わせて調整された最適な視覚領域、したがって眼鏡レンズにおける最適な視野の快適さを得ることができる。さらにまた、目および頸部が和らげられて、眼精疲労が減少する。
【００４０】
前述したように、個々に決定された遠用部および／または近用部の基準点の空間的な位置は、フィッティングポイントと共に、完成した個々の眼鏡レンズに、例えば恒久的でないマーキング（例えば印付け）によって、マーキングされる。個々に決定された遠用部および近用部の基準点の位置および中心合わせポイントあるいはフィッティングポイントは、眼鏡レンズの恒久的なマーキング（EN ISO 8989-2, item 7.1を参照）に基づいて個々の眼鏡レンズに割り当てられた適切な再構築ルール（個々のテンプレート、中心合わせカード他）によって、独自に再構築できる。これにより、遠用部および近用部の基準点や中心合わせポイントあるいはフィッティングポイントの位置は、眼鏡レンズの恒久的なマーキングに基づいて独自に再構築できる。本発明の一つの態様によると、特に本発明の好ましい方法により製造された個々の好ましい眼鏡レンズ、および個々の眼鏡レンズに割り当てられた再構築ルールを含むシステムが保護される。
【００４１】
空間位置の決定において、考慮に入れる、眼鏡装用者の個々のデータ、特に遠用部および／または近用部の基準点の垂直方向の位置には、以下のデータの１つ若しくは複数あるいはその組み合わせが含まれる。
【００４２】
・  屈折データあるいは屈折度数のパラメータ、特に球面度、円柱度、軸位置、加入度。
・  眼鏡装用者の個々のパラメータ、および眼鏡レンズの装用位置あるいは眼鏡装用者の目の前の眼鏡の位置。個々のパラメータには、特に瞳孔間距離、角膜頂点間距離（ＣＶＤ）、前傾角（ＦＩ）、反り角（ＦＦＡ）他が含まれる。
・  累進眼鏡レンズの遠用部、近用部、および中間あるいは累進領域の選択あるいは重み付けに関するデータ、および／または
・  これまで装用していた眼鏡レンズに関するデータ。特に以前の眼鏡レンズが単一視野、二焦点レンズ、あるいは累進眼鏡レンズであるかどうかのデータ。設計（ハード／ソフト）、累進帯長、タイプ（特殊、普通）、材料（プラスチック／シリケート）、屈折率、基準点の位置、以前の眼鏡レンズの加入度、以前の眼鏡レンズの屈折波データと比較したときの屈折波データの変化に関するデータ。
・  これまで装用していた眼鏡に対して所望する改良に関するデータ。特に、より広い遠用部領域、より広い中間部領域、より広い近用部領域、読書のときのより少ない下転、あるいは揺れ動作の減少、および／または
・  眼鏡レンズの主要な用途に関するデータ（運転、コンピュータ作業、読書、手工芸、その他）、および／または
・  周囲条件の影響（周囲の明るさ、その他）に関するデータ、および／または
・  遠用部および近用部における視野の主要方向に関するデータ、
・  潜在的に現れる、個々の例外的な頭部および胴体の姿勢に関するデータ、および／または
・  フレームおよび中心合わせのデータ、特にレンズの垂直方向の寸法、中心合わせ高さ、フレーム形状。
・  眼鏡装用者の目の生理的パラメータ、特に視力の矯正、立体視、および／または
・  個々の目標物の距離に関するデータ。特に読書（精密な仕事）のときの作業距離、遠い作業距離、および／または
・  屈折を決定する際の目標物の距離に関するデータ：遠用部および近用部。
【００４３】
さらに、眼鏡装用者の個々のデータには、更なる個々のパラメータが含まれる。眼鏡装用者の個々のデータを入手し、評価すると共に、個々の距離および／または基準点の空間的な位置を制御しあるいは決定する。
【００４４】
好ましくは、眼鏡レンズの中心合わせポイントあるいはフィッティングポイントからの遠用部および近用部の基準点の垂直方向の距離は、眼鏡装用者の個々のデータに応じて特定される。累進眼鏡レンズを製造する方法は、好ましくは、中心合わせポイントあるいはフィッティングポイントの位置を特定する工程を含む。
【００４５】
座標系は、好ましくは、眼鏡レンズの目標物側表面における直交座標系であり、座標系の始点は眼鏡レンズの中心合わせポイントあるいはフィッティングポイントに一致する。垂直方向および水平方向の軸は、幾何学的な中心または中心合わせポイントあるいはフィッティングポイントの目標物側の表面に対して接平面上にある。好ましくは、水平方向は、２つの恒久的な刻印を結ぶ線によって、前もって決定される。
【００４６】
更に好ましくは、遠用部および近用部の基準点の垂直方向の距離、すなわち累進領域の長さは１３ｍｍ以上である。更に好ましくは、近用部基準点は下側のフレーム縁部より少なくとも２ｍｍ上方であり、および／または遠用部基準点は上側のフレーム縁部の少なくとも８ｍｍ下方である。
【００４７】
好ましくは：
・  眼鏡レンズの中心合わせポイントあるいはフィッティングポイントから測定した遠用部基準点の垂直方向の高さは、眼鏡装用者の個別データに応じて、中心合わせポイントあるいはフィッティングポイントの−４ｍｍ下方から最大で４ｍｍ上方へと、好ましくは０．１ｍｍ刻みで設定できる。
・  眼鏡レンズの中心合わせポイントから測定した近用部基準点の垂直方向の高さは、眼鏡装用者の個々のデータに応じて、中心合わせポイントあるいはフィッティングポイントの下方−１３ｍｍ〜−２０ｍｍの値に、好ましくは０．１ｍｍ刻みで設定できる。
【００４８】
例えば、遠用部および近用部基準点の個々の位置は、注文するときに眼鏡士／検眼士が直接提示できる。しかしながら、好ましくは、遠用部および／または近用部の基準点の最適位置は、眼鏡装用者の個別のデータからコンピュータを用いて自動的に計算される。
【００４９】
好ましくは、眼鏡装用者の個別データには、遠用部、近用部および／または累進領域の選択あるいは重み付けに関するデータが含まれる。好ましくは、以下の通りである。
【００５０】
・  眼鏡レンズの中心合わせあるいはフィッティングのポイントからの遠用部基準点の垂直方向距離yBFは、
【数３】
0005642390.tif 000004
および／または
【００５１】
・  中心合わせあるいはフィッティングのポイントからの近用部基準点の垂直方向距離yBNは、
【数４】
0005642390.tif 000005
である。
ここで、ＧＦは遠用部領域の重み付け、ＧＮは近用部領域の重み付けである。
【００５２】
さらに他の実施形態においては、この眼鏡レンズに示された中心合わせあるいはフィッティングのポイントからの遠用部基準点の垂直方向距離ｙＢＦ、および中心合わせあるいはフィッティングポイントからの近用部基準点の垂直方向距離ｙＢＮは、以下の式によって計算できる。
【数５】
0005642390.tif 000006
ここで、
【数６】
0005642390.tif 000007
である。
ここで、ＧＷ１およびＧＷ２は１〜２の値を取る係数であり、ＧＦは遠用領域の重み付け、ＧＮは近用領域の重み付け、およびＧＰは中間あるいは累進領域の重み付けである。
g1 = 1 + GW1
g2 = 1 + GW2
【００５３】
好ましくは、眼鏡装用者の個々のデータは、眼鏡装用者の目のおよび／または眼鏡装用者の目の前の眼鏡の構造の個々のパラメータを含む。より詳しくは、眼鏡装用者の目の個々のパラメータあるいは眼鏡装用者の目の前の眼鏡の構造には、瞳孔間距離、角膜頂点間距離、前傾角、反り角、その他が含まれる。
【００５４】
空間的な位置、特に遠用部および／または近用部の基準点の中心合わせポイントからの垂直方向距離は、特に前傾角および角膜頂点間距離によって、定まる。基準または基礎的な設計の基礎をなす基準値は、例えば前傾角が９度、角膜頂点間距離が１３ｍｍである。実際の値（ＣＶＤおよび前傾角）がそこからずれた場合は、例えばＣＶＤ値が小さいことによる近用部視野における極めて高い視野のずれあるいは視線の移動を回避するために、基準点の垂直方向位置が本発明により適合される。
【００５５】
これは、以下の式により行うことができる。
【数７】
0005642390.tif 000008
ここで、yBnewは遠用部および／または近用部の基準点の新しい垂直方向位置を示し、yBoldは通常の設計による遠用部および／または近用部の基準点の垂直方向位置を示している。
【００５６】
更に好ましくは、眼鏡装用者の個々のデータには、以下に関するデータが含まれる。
・  遠用部における個々の目標物の距離および／または近用部における個々の目標物の距離、および／または
・  屈折を決定するときの遠用部の個々の目標物の距離および／または屈折を決定するときの近用部の個々の目標物の距離。
【００５７】
特に個々の目標物の距離には、読書（近用部での作業）をするときの作業距離、遠用部での作業距離、および／または屈折の決定における目標物距離に関するデータ：遠用部および近用部が含まれる。
【００５８】
遠用部および近用部の目標物の距離についての情報は、計算あるいは最適化において、考慮に入れる。このように、実際の装用状態に対応する光線経路をより良好な方法でシミュレーションすることができ、したがって結像品質を改善できる。
【００５９】
これは、以下の計算により行うことができる。
【数８】
0005642390.tif 000009
ここで、
sphFR, sphNR   屈折を決定する際の遠用部および近用部の球面度、
sphFK, sphNK   遠用部および近用部における修正された球面度
addk         修正された加入度
OFR, ONR       屈折を決定する際の遠用部および近用部の目標物の距離（正弦値）の逆数
OFG, ONG       実際の装用状態における遠用部および近用部の目標物の距離（正弦値）の逆数
【００６０】
好ましくは、眼鏡装用者の個々のデータには以下が含まれる。
−  これまで装用していた眼鏡に関するデータ、および／または
−  装用していた眼鏡について所望する改善に関するデータ。
【００６１】
さらに好ましくは、眼鏡装用者の個々のデータには以下が含まれる。
−  遠用部および近接部における個々の視野の主要方向に関するデータ、および／または
−  個々の頭部および胴体の姿勢に関するデータ、および／または
−  特に眼鏡装用者の目の生理的パラメータ、および／または
−  眼鏡レンズの美的特性に比較したときの結像特性の選択および／または重要性の重み付け。
【００６２】
本発明の方法のさらに好ましい実施形態によると、眼鏡装用者の個々のデータには、個々のデータうち少なくとも２つの異なるカテゴリのデータが含まれる。遠用部および／または近用部の基準点の位置の入手あるいは決定には、以下の工程が含まれる。
・  各カテゴリにおける眼鏡装用者の個々のデータに基づいて、遠用部基準点の理想的な位置および／または近用部基準点の理想的な位置を各カテゴリについて決定する工程。
・  各カテゴリにおいて、決定された遠用部および／または近用部の基準点の理想的な位置に基づいて、遠用部基準点の位置および／または近用部基準点の位置を計算する工程。
【００６３】
遠用部および／または近用部の基準点の位置は、望ましくは以下の式により計算される。
【数９】
0005642390.tif 000010
ここで
gi         ｉ番目のカテゴリの重み付け。
yiDF,DN        遠用部基準点ＤＦおよび近用部基準点ＤＮのｉ番目のカテゴリにおけるそれぞれの理想的な位置、および
N           異なるカテゴリの数。
【００６４】
好ましくは、この方法は、眼鏡装用者の個々のデータを入手する工程をさらに含む。
【００６５】
さらに好ましくは、眼鏡レンズを製造する方法は以下の工程を含む。
−  計算されかつ最適化された眼鏡レンズの表面データを提供する工程、および
−  眼鏡レンズの与えられた表面データに基づいて眼鏡レンズを製造する工程。
【００６６】
製造および機械加工は、ＣＮＣ機械手段、鋳造法、これらの２つの方法の組合せ、あるいは他の適切な方法によって、実施できる。
【００６７】
さらに、本発明の方法は、好ましくは、遠用部および近用部の基準点の垂直方向および／または水平方向の位置をそのマーキングおよび選択的にこの眼鏡レンズの基準点の再構築ルールに基づいて一義的に決定できるように、眼鏡レンズに恒久的あるいは非恒久的なマーキングを付加する工程を含む。
【００６８】
本発明によると、眼鏡装用者の視覚の弱点を矯正する累進眼鏡レンズを製造する装置が提案される。この装置は以下を備える。
−  眼鏡装用者にとって個々に必要な眼鏡レンズの屈折度数に関するデータを含む眼鏡装用者の個々のデータを入手するための入手手段。
−  眼鏡装用者の個々のデータの少なくとも一部に応じて、遠用部および／または近用部の基準点の垂直方向および／または水平方向の空間的な位置を入手しあるいは決定するための入手あるいは決定手段。
−  個々に決定された遠用部および／または近用部の基準点において、眼鏡レンズに必要な屈折度数が達成されるように、眼鏡レンズの最適化あるいは計算方法を実行するべく構成された最適化あるいは計算手段。
【００６９】
さらに、遠用部および／または近用部の基準点の垂直方向の位置を可変に調節可能な個々の眼鏡レンズを製造する装置は、眼鏡レンズを仕上げ加工する機械加工手段を含む。この機械加工手段には、個々の最適値に一致する半製品を直接的に機械加工するためのＣＮＣ機械を含めることができる。好ましくは、完成した眼鏡レンズは、本発明により計算された個々の設計値および眼鏡装用者の個々のパラメータに基づいて最適化された、単純な球面状あるいは回転対称な非球面、および非球面／非トーリック面の累進的で自由な形態の表面を備える。好ましくは、球状あるいは回転対称な非球面は、眼鏡レンズの前側表面（すなわち目標物の側の表面）である。もちろん、眼鏡レンズの前側表面上に個々に最適化した表面を配設することもできる。眼鏡レンズの両方の表面を個々に最適化した累進的な表面とすることもできる。
【００７０】
さらに、本発明によると、コンピュータプログラム製品およびコンピュータプログラムが記録された記録媒体が提供される。このコンピュータプログラムは、コンピュータ上にロードして実行するときに、眼鏡レンズを計算して最適化する方法を実行するように構成されている、このとき、この方法は、以下の工程を有している。
−  眼鏡装用者の個々のデータに応じて遠用部および／または近用部の基準点の垂直方向および／または水平方向の位置を特定しあるいは決定する工程。
−  個々に決定された遠用部および／または近用部の基準点において、眼鏡レンズに求められる屈折度数が達成されるように、眼鏡レンズを最適化しあるいは計算する工程。
【００７１】
眼鏡レンズを最適化しかつ計算する方法は、好ましくは、本発明による製造方法において、上述した最適化および計算工程の１つあるいは複数を含む。
【００７２】
さらに本発明によると、本発明の製造方法の好ましい実施形態により製造された眼鏡レンズが視覚の弱点を矯正するべく眼鏡装用者の目の前にあるときの、眼鏡レンズの前もって決定された平均的な位置なあるいは個々の装用位置における使用が提供される。眼鏡レンズを使用するときの個々の装用位置は、好ましくは、遠用部および／または近用部の基準点の個々の空間位置の決定および眼鏡レンズの最適化において、考慮した装用位置である。
【図面の簡単な説明】
【００７３】
【図１】遠用部および近用部の個々の位置を決定すると共に個々の眼鏡レンズ設計を決定する方法の模式的なフローチャート。
【図２】個々の顧客パラメータを入力するためのマスクあるいはグラフィックユーザインターフェースの実施例。
【図３】結果を表現するグラフィックユーザインターフェースの実施例。
【図４】結果を表現するグラフィックユーザインターフェースの実施例。
【図５】個々の顧客パラメータを入力するためのマスクあるいはグラフィカルユーザインタフェースの実例を示す図。
【図６】現在の眼鏡に関するデータを入力するためのマスクあるいはグラフィカルユーザインタフェースの実例を示す図。
【図７】視野領域の個々の選択および優先順位に関するデータを入力するためのマスクあるいはグラフィカルユーザインタフェースの実例を示す図。
【図８】個々の眼鏡レンズ設計における遠用部および近用部の基準点の位置を模式的に示す図。
【図９】２つの目の異なる視野高さの実例を示す図。
【図１０】近用部の主要な視野（図１０ａ）および近用部の屈折距離（図１０ｂ）を示す模式図。
【図１１】結果を表示するためのグラフィカルユーザインタフェースの実例を示す図。
【図１２】結果の表示および設計変更あるいはチューニングのためのグラフィカルユーザインタフェースの実例を示す図。
【図１３】注文フォームの実例を示す図。
【図１４】特定の装用位置における眼鏡レンズの生理的および物理的なモデルの模式図。
【図１５】リスティング則を考慮に入れない場合（図１５ａ）およびリスティング則を考慮した場合（図１５ｂの）眼鏡レンズにおける軸位置を模式的に示す図。
【図１６】個々に計算された累進眼鏡レンズの恒久的でない印付けの２つの実例を示す図。
【図１７】左側の個々に最適化された累進眼鏡レンズの恒久的な刻印の実例を示す図。
【図１８】個々に最適化された眼鏡レンズのためのレンズ箱の実例を示す図。
【図１９】レンズ箱に用いる絵文字の凡例を示す図。
【図２０】装用者の目の前にある個々の眼鏡レンズ（図２０ａ）あるいは標準的な眼鏡レンズ（図２０ｂ）の中心合わせの実例を示す図。
【図２１】個々の眼鏡レンズの屈折度数の測定を模式的に示す図。
【発明を実施するための形態】
【００７４】
図１は、遠用部および近用部の基準点の個々の位置を決定すると共に、遠用部および近用部の基準点を有した個々の眼鏡レンズ設計を決定するための典型的な方法を模式的に示すフローチャートである。
【００７５】
第１ステップ（ステップＳ１）において、眼鏡装用者の個々のデータが得られる。眼鏡装用者の個々のデータの収集は、眼鏡装用者の個々のデータの入力および選択的な変更を可能にする、適切なグラフィックユーザインターフェース（ＧＵＩ）によって、生じる。
【００７６】
特定の眼鏡装用者の特定の装用状態における遠用部および／または近用部の基準点の最適な空間位置は、得られた個々のデータに基づいて計算される（ステップＳ２）。
【００７７】
次のステップ（ステップＳ３）においては、第２ステップＳ２において、得られた遠用部および近用部の基準点の最適位置について、累進眼鏡レンズの設計あるいは累進眼鏡レンズ設計の提案が計算される。この設計提案は、適切なグラフィックユーザインターフェースによって、視覚化される。このときユーザは、遠用部および／または近用部の基準点の個々の位置および／または個々の顧客データ（特に視野領域、フレームのデータ、その他についての選択）を変更することにより、積極的に設計を変更できる。
【００７８】
好ましくは、本発明の眼鏡レンズ設計は、個々の顧客データから決定された遠用部および／または近用部の基準点の自由に決定できる個々の位置に基づいて、遠用部および近用部の基準点の固定された空間位置に基づく既存の眼鏡レンズ設計から導き出されるが、その設計上の特徴は維持される。そして、累進表面の累進帯域の垂直方向の位置および長さは、個々の装用状態に自動的に整合される。
【００７９】
眼鏡装用者から得られる個々のデータには、好ましくは、個々の屈折波データ１２（球面、円柱、軸位置、加入度、プリズムおよび基底）、個々のフレームおよび中心合わせデータ１４（レンズの垂直方向の寸法、中心合わせ高さ、フレーム形状、およびレンズ間距離 AZG）、眼鏡装用者の目の個々のパラメータ１６および／または眼鏡装用者の目の前にある眼鏡の個々の装用状態および装用位置（特に、瞳孔間距離ＰＤ、角膜頂点間距離ＣＶＤ、前傾角Ｆｌ、反り角ＦＦＡ等）、更なる個々のデータに加えて、視野領域の個々の選択および重み付けに関連するデータ１８が含まれる。
【００８０】
眼鏡装用者の目の個々のパラメータおよび／または個々の装用状態あるいは装用位置（瞳孔間距離、角膜頂点間距離、前傾角、反り角他）は、例えばRodenstock GmbH社の３Ｄビデオ中心合わせ装置impressionISTのような適切な３Ｄ測定装置によって自動的に決定できる。
【００８１】
個々のパラメータは、例えば以下の範囲において変更できる。
瞳孔間距離（ＰＤ） ３０〜８０ｍｍ
角膜頂点間距離（ＣＶＤ）３〜５０ｍｍ
前傾角（ＦＩ）     −１０〜＋２０度
反り角（ＦＦＡ）   −１０〜＋３５度
【００８２】
フレームおよび中心合わせデータは、ユーザ（例えば眼鏡士あるいは検眼士）が入力し、トレーサによって、自動的に入手し、あるいは例えばデータベースから取り出すことができる。また、中心合わせデータは、３Ｄビデオ中心合わせシステム（例えば、Rodenstock GmbH社の３Ｄビデオ中心合わせシステムImpression lST）から直接的に適用することもできる。
【００８３】
入手した眼鏡装用者の個々のデータは、空間位置、特に遠用部および／または近用部の基準点の垂直方向および／または水平方向の位置の計算および最適化において、考慮されるが、それについては以下に詳述する。さらに、入手した眼鏡装用者の個々のデータは、眼鏡レンズの計算あるいは最適化において、考慮される。
【００８４】
第４ステップ（ステップＳ４）においては、個々の眼鏡レンズが最適化されかつ計算される。このとき最適化は、入手した個々のデータ、特に眼鏡装用者の個々のパラメータおよび個々の装用位置（反り角、前傾角、瞳孔間距離、角膜頂点間距離他）に関するデータの少なくとも一部を考慮に入れて実行される。
【００８５】
個々に計算された眼鏡レンズの製造は、例えば精度機械、好ましくはコンピュータ数値制御の研削および研磨マシンにより実行される（ステップＳ５）。
【００８６】
図２は、個々の顧客パラメータを入力するためのグラフィックユーザインターフェースを示している。
【００８７】
図２は、眼鏡装用者の個々のデータ（処方値）を入力するためのグラフィックユーザインターフェース２０の実施例を示している。個々のデータは、マスクあるいはグラフィックユーザインターフェースの対応する入力領域あるいは部分に直接入力し、または例えばデータベースから取り出すことができる。背景が灰色な領域は、プログラムによって、自動的に計算されてデータが入力される。
【００８８】
図２に示したグラフィックユーザインターフェース２０は、以下を備えている。
・  「処方値」部分（部分２２）は、球面度「sph」、円柱度「cyl」、円柱軸、プリズム、基底といった個々の屈折データを入力するための入力領域を有している。
・  「個々のパラメータ」部分（部分２４）は、眼鏡装用者の目の個々のパラメータおよび／または個々の装用位置（瞳孔間距離「ＰＤ」、角膜頂点間距離「ＣＶＤ」、前傾角「Ｆｌ」、反り角「ＦＦＡ」）を入力するための入力領域を有している。
・  「フレームおよび中心合わせデータ」セクション（部分２６）は、フレームおよび中心合わせデータ（フィッティング高さ、水平方向のレンズ寸法、垂直方向のレンズ寸法、レンズ間距離「ＡｚＧ」あるいは「ＡＺＧ」）を入力する領域、およびボックスの寸法に整合させて眼鏡の中心合わせを表示するための選択的な表示セクション（部分２７）を有している。
【００８９】
フレームデータは、対応する入力領域に入力できる。フレームが例えばトレーサによって、あるいはフレームのリストから選択される場合、これらの値は自動的に入力できる。「ボックス寸法に整合させる」機能により、ことによると変更され得るフレームデータにフレームを整合させることができる。
【００９０】
「フレームおよび中心合わせデータ」のセクションにおいて、フレームは、例えばトレーサによって、選択し、以前にフレームが適用されまたは測定されなかった場合はデータベースから選択できる。特に、フレームは、開いたポップアップウインドウ内のリストから選択できる。好ましくは、形状およびフレームデータもまた示される。選択は、それを確認することによって、適用できる。また、よく似たフレームは、多くの異なるフレーム形状から選択できる（「よく似た形状」）。ここで、フレームを一般的な形状から選択して選択できる他のポップアップウインドウを開くこともできる。
【００９１】
図２に示されているグラフィックユーザインターフェース２０は、さらに以下を備えている。
・  例えばコーティング（図の部分２８を参照）や色（図２の部分３０を参照）といった更なる情報を入力するための部分あるいは入力領域、および
・  選択したフレームに最も良くフィットする基底カーブを入力できる部分あるいは入力領域「ベースカーブ」（部分３４）。
【００９２】
上述したように、特定の眼鏡装用者の特定の装用状態における遠用部および／または近用部の基準点の最適な空間位置は、入手した個々のデータ（図１のステップＳ２）に基づいて計算される。本発明の方法および本発明のコンピュータプログラムによる基準点あるいは設計点の最適な空間位置の計算について、実施例として以下に詳述する。
【００９３】
遠用部基準点の垂直方向高さは、好ましくは、眼鏡装用者の個々のデータに応じ、製造業者によるこの眼鏡レンズのための中心合わせあるいはフィッティングポイントの組に対して＋４〜−４ｍｍの範囲で柔軟に決定できる。近用部基準点は、好ましくは、中心合わせあるいはフィッティングポイントの垂直方向の下側に１３〜２０ｍｍの間で柔軟に決定できる。これは、好ましくは最小で１３ｍｍおよび最大で２４ｍｍの柔軟に選択可能なプログレッション長に結びつく。好ましくは、遠用部および近用部の基準点は、許容可能な範囲の中で０．１ｍｍのステップで自由に決定できる。
【００９４】
好ましくは、遠用部および近用部の基準点の位置の限界値の計算は、フレームおよび中心合わせデータに基づいて実行される。それによって、遠用部および近用部の基準点がフレームの範囲内にあることが確実なものとなる。好ましくは、下側のフレーム縁部から近用部基準点への最小の垂直方向距離は２ｍｍである。上側のフレーム縁部から遠用部基準点への最小の垂直方向距離は６ｍｍ、好ましくは８ｍｍである。最大限に許容可能な累進帯長は、遠用部および近用部の基準点の上側および下側の縁部からの最小限に許容可能な距離から計算できる。累進帯長は、遠用部基準点と近用部基準点の間の垂直方向の距離として定義される
【００９５】
さらに、遠用部および近用部の基準点の理想的な位置は、フレームおよび中心合わせデータに基づいて、フレームおよび中心合わせデータに対して計算される。好ましくは、近用部基準点の下側のフレーム縁部からの理想的な垂直方向距離は、少なくとも５ｍｍである。好ましくは、遠用部基準点の上側のフレーム縁部からの理想的な垂直方向距離は、少なくとも１２ｍｍである。左／右のフレームにおける中心合わせ高さの相違により、基準点の位置ずれが生じた場合は、好ましくはこれらをバランスさせる。このようにして、基準点が常にフレームの範囲内にあって同じ高さにあることが確実なものとなる。
【００９６】
最小の累進帯長は、遠用部および近用部の基準点の各フレームの縁部からの理想的な距離から計算できる。ユーザ（例えば眼鏡士／検眼士）は、これらの値と注文書によって、直接知り、あるいは本発明のコンピュータプログラムでそれらを計算できる。
【００９７】
個々のパラメータ（瞳孔間距離ＰＤ、角膜頂点間距離ＣＶＤ、前傾角ＦＩ、反り角ＦＦＡ他）は、適切な３Ｄ測定装置、例えばRodenstock GmbH社の３Ｄビデオ中心合わせ装置Impression lSTあるいは従来の測定ツールによって、自動的に決定されるとともに、以下に詳述するように空間的な位置、特に遠用部および／または近用部の基準点の垂直方向および／または水平方向の位置の計算あるいは最適化において、考慮される。
【００９８】
個々のパラメータは、例えば以下の範囲で変更できる。
瞳孔間距離（ＰＤ）        ３０〜８０ｍｍ
角膜頂点間距離（ＣＶＤ）３〜５０ｍｍ
前傾角（ＦＩ）     −１０〜＋２０度
反り角（ＦＦＡ）   −１０〜＋３５度
【００９９】
空間的な位置、特に遠用部および／または近用部の基準点の中心合わせポイントからの垂直方向の距離は、特に前傾角および角膜頂点間距離によって、決まる。標準的な値あるいは標準的若しくは基礎的な設計の基礎となる値は、例えば前傾角が９度、かつ角膜頂点間距離が１３ｍｍである。実際の値（ＣＶＤおよび前傾角）がそこから外れる場合は、例えばＣＶＤ値が小さいときの近用視野における極めて大きい視野のずれを回避するために、基準点の垂直方向の位置が本発明により適合される。
【０１００】
これは、以下の式により行うことができる。
【数１０】
0005642390.tif 000011
ここで
yBnew  遠用部および／または近用部の基準点の新しい垂直方向位置。
yBold  標準的な設計による遠用部および／または近用部の基準点の垂直方向位置。
【０１０１】
このように計算された値が、フレームおよび中心合わせデータから計算された許容範囲の外側にある場合は、基準点が許容範囲の内側に来るまで基準点の位置を変更する。好ましくは、遠用部および／または近用部の基準点の垂直方向高さは、左／右（すなわち、左側および右側の目）において、上述したように、互いに整合させる。
【０１０２】
眼鏡装用者の個々のデータには、以前のレンズに関するデータ、特に以下のものをさらに含めることができる。
・  眼鏡レンズのタイプ（単一視野、二焦点、累進）および／または累進帯長に関するデータ。
・  屈折度数、特に以前のレンズの加入度に関するデータ。
【０１０３】
さらにまた、以前のレンズの材料（樹脂製／ケイ酸塩）に関するデータおよび／または屈折率を入手して評価できる。以前に累進眼鏡レンズを装用していた場合は、眼鏡レンズの設計（ハード／ソフト）および／または累進レンズのタイプ（特殊、普通）に関するデータを、以前のレンズに関するデータにさらに含めることができる。
【０１０４】
遠用部および近用部の基準点の空間的な位置や、屈折度、その他の最適化において、眼鏡レンズ（単一視野、二焦点、累進）のタイプおよび以前のレンズの累進帯長に関するデータを考慮に入れることができる。
【０１０５】
さらにまた、以前のレンズに関するデータは、以前のレンズについて所望する改善に関するデータ、例えばより大きい遠用部領域、より大きい中間領域、より大きい近用部領域、読書のときにより少ない下転、より少ない揺れを含めることができる。
【０１０６】
以前の累進レンズの基準点の位置、およびことによると存在し得る改善要望から、例えば、以前に対する基準点の理想的な個々の位置を計算できる。例えば、遠用部領域がこれまであまりに小さく、および／または遠用部視野の改善が必要な場合は、遠用部の基準点は以前の位置に対して下方に移される。近用部領域があまりに小さく、および／または読書のときの下転があまりに大きかった場合は、近用部基準点は上方に移される。例えばコンピュータ作業のための中間部領域があまりに小さく、および／または揺れ動作があまりに大きかった場合は、遠用部基準点を上方に移し、かつ近用部基準点を下方に移す。
【０１０７】
眼鏡装用者の個々のデータには、視野領域（遠用部、近用部、および中間部あるいは累進領域）についての選択に関するデータをさらに含めることができる。これらのデータの質問は、例えば適切なグラフィックユーザインターフェースにより行うことができる。好ましくは、これらのデータもまた、遠用部および／または近用部の基準点の最適位置の計算において、考慮される。
【０１０８】
より詳しくは、基準点の理想的な位置は、選択に関して算出できる。例えば、眼鏡レンズが主として自動車の運転に用いられる場合は、遠用部基準点は生理的な理想値に対して下方に移される。例えば、眼鏡レンズが主として読書に用いられる場合は、近用部基準点は生理的な理想値に対して上方へ移される。例えば、眼鏡レンズが主としてコンピュータ作業に用いられる場合、遠用部基準点は生理的な理想値に対して上方に移され、かつ近用部基準点は生理的な理想値に対して下方に移される。
【０１０９】
同様に、これまで装用していた眼鏡レンズおよび所望の改善から、所望の改善に対して基準点（遠用部および近用部基準点）の理想的な位置を決定できる。
【０１１０】
例えば、遠用部領域がこれまであまりに小さくおよび／または遠用視野の改善が所望される場合は、遠用部基準点は以前の位置に対して下方に移される。近用部領域があまりに小さくおよび／または読書の時の下転があまりに大きい場合は、近用部基準点は上方に移される。例えばコンピュータ作業のための中間領域があまりに小さくおよび／または揺れ動作があまりに大きい場合は、遠用部の基準点は上方に移され、かつ近用部の基準点は下方に移される。
【０１１１】
レンズを注文するときに、眼鏡士／検眼士は、視野領域について決定された選択、および選択的にそれらの所望の改善に基づいて、遠用部および／または近用部の基準点の理想的な個々の位置を特定できる。しかしながら、理想的な位置は、好ましくは、決定された選択および選択的に所望された改良からコンピュータを用いて自動的に計算される。これは、例えば以下の通りに行われる。
【０１１２】
決定された個々の選択に基づいて、重み付け(遠用部の選択、近用部の選択、 中間領域の選択)を個々の視野領域に関連付けることができる。個々の重み付けは、例えば０〜１００の値を取ることができるが、個々の重み付けの合計は０〜１００である。
【０１１３】
視野領域の選択に対する遠用部および近用部の基準点の理想的な垂直方向位置は、例えば以下の通りに計算できる。
【０１１４】
遠用部領域の重み付け(PreferenceDistance)が３３より小さい場合は、
【数１１】
0005642390.tif 000012
である。
【０１１５】
近用部領域の重み付け(PreferenceNear)が３３より小さい場合は、
【数１２】
0005642390.tif 000013
である。
【０１１６】
中間部領域の重み付け(PreferenceIntermediateZone)が３３より小さい場合は、
【数１３】
0005642390.tif 000014
である。
【０１１７】
基準点および累進領域は互いに無関係ではないが、累進帯長が基準点の垂直方向の位置の差を示すので、基準点の垂直方向位置は、好ましくはまた累進帯長から計算できる。
【数１４】
0005642390.tif 000015
【０１１８】
したがって、最終的な基準点は以下の結果となる。
【数１５】
0005642390.tif 000016
重み付けＧＷ１およびＧＷ２は、好ましくは１〜２の値をとる。
【０１１９】
同様に、これまで装用していた眼鏡レンズおよび所望の改善に関するデータから、所望の改善に対する基準点（遠用部および近用部の基準点）の理想的な位置を、重み付けの適切な割当によって、決定できる。
【０１２０】
さらにまた、眼鏡装用者の個々のデータには、累進眼鏡レンズの主な用途（自動車の運転、コンピュータ作業、読書、手工芸、その他）に関するデータが含まれる。
【０１２１】
同様に、基準点の理想的な位置は、主な用途に関するデータから計算できる。例えば、眼鏡レンズが主に自動車の運転に用いられる場合、遠用部の基準点は生理的に理想的な値に対して下方に移される。例えば、眼鏡レンズが主に読書のために用いられる場合、近用部の基準点は生理的に理想的な値に対して上方に移される。例えば、眼鏡レンズが主にコンピュータ作業に用いられる場合は、生理的に理想的な値に対し遠用部基準点が上方へ移されるとともに近用部基準点が下方に移される。
【０１２２】
さらに、眼鏡装用者の個々のデータには、以下に関するデータを含めることができる。
・  環境の影響（周囲の明るさ他）  および／または
・  遠用部および近用部の視野の個々の主要方向  および／または
・  潜在的にあり得る、通常ではない頭部および胴体の姿勢
・  眼鏡装用者の目の生理的なパラメータ、特に視力の矯正、立体視の閾値。
【０１２３】
したがって、データを入力して選択的に修正するための適切なグラフィックユーザインタフェースを提供できる。
【０１２４】
加えて、美感／レンズの選択に関するデータを入手できるとともに、このデータに基づいて眼鏡レンズの材料を決定できる。美感の選択の重み付けが高い場合は、非常に薄くて軽い、高い屈折度数の材料が選択される。レンズの重み付けがより高い場合は、非常に良好な光学的性質を呈する、より高いアッベ数の材料が選択される。この選択は、屈折度数によって、定まり得る。
【０１２５】
眼鏡装用者の個々のデータは、入手されて評価され、かつ「遠用部」および「近用部」の基準点の位置を制御する。
【０１２６】
例えば、基準点の理想的な位置は、入手されると、フレームおよび中心合わせデータ、生理学および人間工学、経歴、選択、および選択的に眼鏡装用者の他に関連する個々のデータに関して計算できる。言い換えると、基準点（遠用部および近用部の基準点）の理想的な位置は、異なるカテゴリ（フレームおよび中心合わせデータ、生理学および人間工学、経歴、選択他）に対して決定できる。
【０１２７】
これらのデータから、最適な折衷案を、例えば加算平均によって、作ることができる。異なるカテゴリは、その重み付けを異ならせることができる。遠用部および／または近用部の基準点yDF,DNの最適な位置の算出は、例えば以下の式によって、計算できる。
【０１２８】
【数１６】
0005642390.tif 000017
ここで、
gi         ｉ番目のカテゴリの重み付け。
yiDF,DN       ｉ番目のカテゴリにおける、遠用部の基準点（遠用部の設計点）ＤＦおよび近用部の基準点（近用部の設計点）ＤＮの理想的な位置。および
N           異なるカテゴリの数。
【０１２９】
さらにまた、眼鏡装用者の個々のデータには、光学的な変数に関するデータを含めることができる。決定された光学的な変数、好ましくは加入度の変換に基づいて、近用部における距離および加入度あるいは付加パラメータが生じる（図１のステップＳ６）。光学的な変数に関するデータには、特に読書（精密作業）をするときの作業距離や遠用部での作業距離、および／または屈折を決定するときの遠用部および近用部における目標物の距離に関するデータといった、個々のレンズ距離に関するデータが含まれる。
【０１３０】
屈折を決定するときの「遠用部」および「近用部」における目標物の距離は、計算あるいは最適化において、考慮される。したがって、実際の装用状態に対応する光線の経路をより正確にシミュレートすることができ、結像品質を改良できる。
【０１３１】
屈折を決定するときの目標物の距離「遠用部」および「近用部」が公知である場合、処方箋の値あるいは装用値の適合を実行できる。これは、例えば以下の計算により行うことができる。
【数１７】
0005642390.tif 000018
ここで：
sphFR, sphNR 屈折の決定における遠用部および近用部の球面度。
sphFK, sphNK 遠用部および近用部における修正された球面度。
addK       修正された加入度。
OFR, ONR     屈折を決定するときの遠用部および近用部における目標物の距離（正弦                値）の逆数。
OFG, ONG     実際の装用状態における遠用部および近用部の目標物の距離（正弦値）                の逆数。
【０１３２】
特に、レンズを計算するときに、眼鏡レンズの実際の装用位置における近用部視野の主要な視野距離を考慮できる。
【０１３３】
遠用部および／または近用部の基準点の最適な個々の位置が眼鏡装用者の個々のデータに基づいて決定される場合、対応する眼鏡レンズの設計は、遠用部および近用部の基準点のこのように決定された位置により、および眼鏡装用者の個々のパラメータを選択的に考慮に入れて自動的に計算される（図１のステップＳ３）。
【０１３４】
設計提案は、結果を表現するための適切なグラフィックユーザインターフェース６０Ａ（図３を参照）によって、視覚化できる。設定の際の選択に応じて、グラフィックユーザインターフェース６０Ｂ（設計チューナ）を追加的に示すことができる（参照図４）。これにより、結果の説明に加えて、ユーザには、遠用部および／または近用部の基準点の個々の位置を変更することによりおよび／または眼鏡装用者の個々のデータ（特に、選択、フレームデータ他）を変更することにより、積極的に設計を変更する可能性が与えられる。加えて、眼鏡レンズの対応する幾何学的なデータ（中心厚み、縁部厚み、ベースカーブ、重量）を計算し、かつ適切な（好ましくは３次元モジュールの形態の）グラフィックユーザインターフェースによって、視覚化できる。グラフィックユーザインターフェース６０Ａおよび６０Ｂは、２つの領域に分けられている。上側の領域６２には、テーマ「視野」および／または「性能」についての情報が、個々の眼鏡レンズについて提案された設計とともに示されている。下側の領域６４には、個々の眼鏡レンズあるいは眼鏡のテーマ「外観」および「幾何学」についての情報が示されている。
【０１３５】
「外観」領域６４には、縁取りされた眼鏡レンズあるいは縁取りされた複数の眼鏡レンズの、特に美容上の特性および眼鏡レンズの美観に関するデータ（例えば重量や、製造高さ、最大縁部厚み、中心厚み、ベースカーブ他といった幾何学的なデータ）を視覚化してグラフィカルに示すことができる。眼鏡レンズの美容上の特性の視覚化は、例えば図３および図４に示されているように、例えば、決定された幾何学的なデータとともに眼鏡レンズ６６のモデルの３次元的にグラフィカルな図形表現によって、達成できる。眼鏡レンズの美容上の特性の表現は、ベースカーブおよび屈折率の選択により影響され得る。選択は、屈折度数により左右され得る。領域「外観」６４は、屈折率に関する数値を示すための領域７０およびベースカーブを示すための領域（領域７２）をさらに有することができる。ベースカーブおよび屈折率について表示された値は、屈折度数の範囲、必要な直径、ベースカーブの要望および屈折データから構成される。したがって、マスク「注文値」に入力されたベースカーブの要望からの偏差をもたらすことは可能である。ベースカーブおよびレンズの屈折率について技術的に実現可能な値は、対応する選択領域を介して変更できる。初期設定のベースカーブ、屈折率、他を変更する場合、グラフィカルな図示および幾何学的なデータは「リフレッシュ」ボタンを押すことにより、変更された値に基づいて再び計算できる。縁取られた眼鏡レンズの使用は、適切なボタン６８によって、異なる方向の静的な透視図（フレームの上方から、正面から、側方から、斜め上方から）に示すことができる。改良された詳細な表示のために、対応するボタンを介して結像を拡大して示すことができる。
【０１３６】
眼鏡レンズの美容上の特性の視覚化に加えて、眼鏡レンズの光学的性質（視野領域、特に個々の視野領域の空間的な位置および寸法）の視覚化が行われる。視野領域の寸法の表現は、可能な材料への依存を考慮することなく、処方箋データに対して行うことができる。もちろん、材料への依存の考察を提示することもできる。図３および図４は眼鏡レンズの光学的性質の表現の実例を示している。
【０１３７】
さらに、視野の快適さ（例えば下転、揺れ、周辺部の見え方、歪、その他）の視覚化も提示できる。
【０１３８】
加えて、視野の領域、視野の快適さ、および／または美容上の特性、個々の眼鏡レンズの美観に関する性能値の適切な表示を提示できる。さらに、代りの設計提案の性能値も同様に提示できる。
【０１３９】
したがって、グラフィカルユーザインタフェース６０Ａ〜６０Ｄの「視野」領域６２は、常にいくつかの副領域に分けられている。領域６２の副領域７４「両眼視野領域表示」には、顧客および特定のフレームのための理想的な設計が、省略記号によって、模式的に示されている。灰色の部分は、（例えば、装用位置における非点収差が０．５Ｄより大きい）異常な領域である。領域６２の副領域７８「設計特性」には、視野領域寸法の相互の定性的な比較が、例えば線図の形態で提示されている（図３および図４を参照）。
【０１４０】
加えて、検眼士／視力検査者および／または眼鏡装用者には、このように計算された個々の眼鏡レンズ設計を積極的に変更する可能性を与えることができる。例えば、この変更は、空間的な位置、特に遠用部および／または近用部の基準点の垂直方向の位置を積極的に変更することにより行われる。あるいは、視野領域の重み付けを変更できる。
【０１４１】
遠用部および／または近用部の基準点の位置、および／または視野領域に関する選択の変更あるいは適合は、例えば適切なグラフィカルユーザインタフェースによって、実行できる。視野領域についての選択の適合を可能にする、スライドコントロール８０の形態の適切なグラフィカルユーザインタフェースの実例が図４に示されている。
【０１４２】
遠用部および／または近用部の基準点の位置を変更した新規な眼鏡レンズは、好ましくはリアルタイムに計算されて視覚化される。好ましくは、古いものに対する新規な眼鏡レンズ設計の光学的な特性の相違あるいは変更も視覚化される。
【０１４３】
本発明の更なる実施形態、利点および特徴は、添付の例示的かつ非限定的な明細書のページから読み取ることができる。
【０１４４】
以下において、個々に決定可能な遠用部および近用部の基準点は、それぞれ設計ポイント「遠用部」および設計ポイント「近用部」と称する。特に、個々に決定された遠用部の基準点あるいは設計ポイント「遠用部」は、それによって、装用者の遠用部における視野が最適に修正される点に対応すると共に、装用者の個人的な視覚の習慣に対応する。個々に決定された近用部の基準点あるいは設計ポイント「近用部」は、それによって、装用者の近用部における視野が最適に修正される点に対応すると共に、快適となるようにそれらの視野を下げることができる。
【０１４５】
通常の累進的な眼鏡レンズ（多焦点レンズ）は、普通は累進的な前側表面を有しているが、目の側の処方表面は注文を受領した後に加工される。ベースカーブシステムによる加工においては、限られた数（例えば７２）の累進表面が用いられるが、それらは視覚の弱点に合わせて予め製造され、したがって標準化されている。しかしながら、これらはある範囲の屈折度数には適合するものの、個々の屈折度数には適合しない。屈折データが最適化された屈折度数から逸脱する場合、累進表面の最適化はそのベースカーブの平均的な屈折度数あるいは屈折度数の範囲について行われるだけであり、使用に耐える視野領域を制約する結果となる。
【０１４６】
通常の累進レンズにおいては、注文された屈折度数の球面度、円柱度、軸、プリズムおよび基底についての半製品の基礎となっている計算からの小さなずれが、設計が生きる可能性を制約し、ユーザに不快感を生じさせ得る。加えて、通常の累進レンズの最適化は、多くの場合、装用者のレンズ、フレームおよび顧客データの個別性を満たさない標準的な値に基づいている。
【０１４７】
屈折度数を最適化させた累進レンズにおいては、個々の屈折度数の組合せについてオンラインで最適化された非球面あるいは非トーリックな処方表面により、通常の累進レンズにおける短所は取り除かれる。Freiformtechnologie（自由形態技術）により、屈折度数を最適化させた累進レンズの製造が可能となる。計算および製造のノウハウにより、個々の累進レンズを自由形態技術(Freiformtechnologie)で製造できる。
【０１４８】
さらにまた、個々の処方（球面度、円柱度、軸、加入度、プリズム、基底）および装用者の目の前にあるレンズの個々の位置（ＣＶＤ、ＦＦＡ、前傾角、瞳孔間距離）を考慮して最適化しかつ計算する個々の累進レンズは公知である。
【０１４９】
累進レンズの第２のグループは、異なる方法、例えば装用者の個人的な振る舞いあるいは彼らの好みによって、個別化された累進レンズである。しかしながら、これらの累進レンズは、個々のパラメータを考慮しないか、部分的に考慮するだけである。これらの累進レンズは、通常は実際の状況に対応していない外形的に標準的なモデルに基づいているため、光学的なずれおよび／または性能のロスに結びつく。
【０１５０】
しかしながら、すべてのケースにおいて、累進眼鏡レンズの設計は、これまでは固定的に設計されてきた。個々の顧客のパラメータ（例えば瞳孔間距離（ＰＤ）、角膜頂上遠用部（ＣＶＤ）、フレーム形状、前傾各角（ＦＩ）、反り角、遠用部および／または近用部基準点の個々の位置、個々の近用部の距離、その他）を考慮に入れる好ましい本発明の方法により、顧客のニーズに合わせて眼鏡レンズ設計を調整することが可能となる。
【０１５１】
好ましくは、視野についての経験および顧客のニーズあるいは視野のニーズは、個々の設計を計算して眼鏡レンズを製作する本発明の方法において、考慮に入れる。したがって、例えば眼鏡士の技術的なノウハウを用いて、顧客（眼鏡装用者）と協力しつつ、個々の累進眼鏡レンズを作成できる。好ましくは、前述したモデルの利点および短所を考慮に入れる。
【０１５２】
個々のパラメータ（例えば瞳孔間距離ＰＤ、角膜頂上間距離ＣＶＤ、前傾角ＦＩ、反り角ＦＦＡ、その他）は、Rodenstock GmbH社の３Ｄビデオ中心合わせ装置ImpressionISTのような適切な３Ｄ測定装置あるいは通常の測定ツールによって、自動的に決定され、空間位置、特に遠用部および／または近用部の基準点の垂直方向および／または水平方向の位置の計算あるいは最適において、考慮される。
【０１５３】
個々のパラメータは、以下の範囲で変更可能である。
瞳孔間距離（ＰＤ） ３０〜８０ｍｍ
角膜頂点間距離（ＣＶＤ）３〜５０ｍｍ
前傾角（ＦＩ）           −１０〜＋２０度
反り角（ＦＦＡ）   −１０〜＋３５度
【０１５４】
さらに、眼鏡装用者の特別な視野習慣は、個々のパラメータに加えて考慮できる。
【０１５５】
図５〜図７は、個人顧客パラメータを入力するためのグラフィックユーザインターフェースを示している。
【０１５６】
例えば、第１のマスクあるいはグラフィックユーザインターフェース（図示せず）には、顧客の情報（例えば名前、連絡先、フレームの選択、その他）を入力しあるいはデータベースからインポートすることができる。選択されたフレームは、適切なトレーサ（例えばRodenstock社のimpressionlST）によって、直接測定することもできるしデータベースから取り出すこともできるが、これもまた表示できる。
【０１５７】
図５は、眼鏡装用者の個々のデータ（処方値）を入力するためのマスクあるいはグラフィックユーザインターフェース１２０の実例を示している。個々のデータは、マスクあるいはグラフィックユーザインターフェースの対応する入力領域あるいはセクションに直接入力し、あるいは例えばデータベースから取り出すことができる。背景が灰色な領域は、プログラムによって、自動的に計算されてデータが入力される。
【０１５８】
図５に示されているグラフィックユーザインターフェース１２０は、以下のものを備えている。
−  「屈折データ」セクション（セクション１２２）は、球面度「sph」、円柱度「cyl」、軸、プリズム、基底といった個々の屈折データを入力するための入力領域を有している。
−  「個々のパラメータ」セクション（セクション１２４）は、眼鏡装用者の目の個々のパラメータおよび／または個々の装用位置（瞳孔間距離「PD」、角膜頂点間距離「CVD」、前傾角「FI」、反り角「FFA」）を入力するための入力領域を有している。
−  「フレームおよび中心合わせデータ」セクション（セクション１２６）は、入力フレームおよび中心合わせデータ（フィッティング高さ、水平方向のレンズ寸法、垂直方向のレンズ寸法、レンズ間の距離「AZG」）を入力するための入力領域を有している。および、選択的に、ボックス寸法にマッチした眼鏡の中心合わせを表示する表示セクション（セクション１２７）を有している。
【０１５９】
フレームのデータは、対応する入力領域に入力できる。フレームものはトレーサによって、または、フレームのリストから例えば選択される場合、これらの値は自動的に入力されることができる。中心合わせデータは、選択的に、３Ｄビデオ中心合わせ装置（例えば、Rodenstock GmbH社の３Ｄビデオ中心合わせ装置）から直接当てはめることができる。フレームは、「ボックス寸法にマッチさせる」機能により、ことによると変更されるフレームデータにマッチさせることができる。
【０１６０】
セクション１２６「フレームおよび中心合わせデータ」においては、例えばフレームが適用されていない、あるいはトレーサによって、以前に測定されていない場合には、フレームをデータベースから選択できる。特にフレームは、開いたポップアップウインドウ内のリストから選択できる。好ましくは、形状およびフレームデータもまた表示される。選択は、それを確認することによって、適用できる。また、よく似たフレームを多くの異なるフレーム形状（「よく似た形状」）から選択できる。ここで、他のポップアップウインドウを開いて、一般的な形状の選択肢からフレームを選択することもできる。
【０１６１】
さらに、図５に示したグラフィックユーザインターフェース１２０は、「内寄せ」セクションあるいは入力領域（セクション１３２）を有している。近用部視野において、標準的なケースから逸脱する内転動作が眼鏡装用者にある場合は、入力領域「内寄せ」内のデフォルト値を適切に変更できる。好ましくは、内寄せ値は、個々の顧客パラメータを考慮して計算される。
【０１６２】
また、グラフィックユーザインターフェース１２０は、以下のデータに対応する入力領域を具備した「設計パラメータ」セクション１３４を有している。
−  屈折を決定する際の個々の近用部距離（近用部屈折距離）
−  近用部の主要な視野距離、および
−  個々の加入度数。
【０１６３】
個々の近用部距離に関するデータが入力されない場合、屈折を決定する際には、加入度を最大で２．５Ｄ、個々の近用部距離を４０ｃｍとする。言い換えると、注文された加入度が４０ｃｍにおいて、決定され、かつ眼鏡装用者の主要な視野距離がこの距離にあると仮定される。加入度が大きい場合、加入度の逆数が最大な近用部距離に対応する。２つの入力領域「近用部屈折距離」および「近用部の主要な視野距離」のうちの１つが入力されると、その値が他の距離についても有効であると仮定される。内寄せおよび非点収差は「近用部」の主要な視野距離について計算される。
【０１６４】
「近用部」の屈折距離および「近用部」の主要な視野距離の対応する入力領域に異なる値が入力された場合は、主要な視野距離についての個々の加入度数が自動的に計算される。それが供給範囲（０．７５Ｄ〜３．５０Ｄ）の外側にある場合、あるいは注文された加入度に対して０．５Ｄを超えてずれた場合は、個々の加入度数が表示される。
【０１６５】
実施例
【０１６６】
注文された加入度（屈折）＝２．００Ｄ、主要な近用部の視野距離＝３０ｃｍ、近用部の屈折距離＝４０ｃｍ。注文された加入度２．００Ｄは３０ｃｍに最適化され、かつこの加入度が適合される。内寄せに加えて、斜め投射の非点収差は所望する主要な視野距離に合わせて修正される。
【０１６７】
ここで、１つの距離（主要な視野距離あるいは屈折距離）だけが特定された場合は、注文された加入度が所定の距離に関連していると仮定する。ここで、加入度の適合が行われないと、特定された近用部距離の加入度について、眼鏡レンズ設計あるいは眼鏡レンズが計算されて最適化される。近用部距離（主要な視野の方向および／または屈折距離）が特定されない場合は、屈折が４０ｃｍで実行され、かつこの屈折距離が近用部における主要な視野方向に対応するものと仮定する。ここで、加入度の適合は行わず、４０ｃｍで注文された加入度について眼鏡レンズ設計あるいは眼鏡レンズが計算されて最適化される。
【０１６８】
通常、製造業者から入手可能な加入度は、０．７５Ｄ〜３．５Ｄの範囲にある。以下の単純な計算に基づいて、眼鏡レンズが入手可能であるかどうか眼鏡士は確認できる。
【数１８】
0005642390.tif 000019
ここで、
IZ     Ｄにおける個々の加入度屈折度数。
Add    Ｄにおける加入度。
RDN    近用部屈折距離のメートル値。
MVDN   近用部の主要な視野距離。
【０１６９】
実施例：
【０１７０】
可能な場合：
加入度屈折＝１．７５Ｄ
近用部の屈折距離＝４０ｃｍ
近用部の主要な視野距離＝３０ｃｍ
IZ =1.75D-2.50D+3.33D=2.58D。
【０１７１】
可能でない場合：
加入度屈折＝２．００Ｄ
近用部屈折距離＝４０ｃｍ
近用部の主要な視野距離＝２０ｃｍ
IZ =2.00D-2.50D+5.00D=4,50D
【０１７２】
この計算においては、近用部距離の変更による調節の振幅の変化が発生しないと仮定する。しかしながら、これは単に近似値を示すだけである。
【０１７３】
図５に示されているグラフィックユーザインターフェース１２０は、選択されたフレームに最もフィットするベースカーブを入力できるセクションあるいは入力領域「ベースカーブ」（セクション１３５）を有している。特に、眼鏡フレームの湾曲に応じてずれたベースカーブを入力すると共に、眼鏡レンズの最適化において、それを考慮できる。プログラムは、各屈折データおよび各ベースカーブのニーズについて自動的に最も適した湾曲あるいはベースカーブを計算する。プログラムにより計算されたベースカーブは、入力領域「ベースカーブ」に入力されたベースカーブと異なることがある。好ましくは、入力されてあるいは注文されたベースカーブは、特に厚すぎる縁部厚みを生じさせ得る平面や凸面が後側あるいは後面上に生じないか、自動的に点検される。
【０１７４】
図６は、現在の、これまで装用してきた眼鏡に関する個々のデータを入力するマスクあるいはグラフィックユーザインターフェース１４０を示している。
【０１７５】
知っている場合は、以前のレンズについての情報をこのマスクに入力できる。例えば、顧客が単一視野、多焦点、あるいは累進レンズを持っていたかどうか、あるいは顧客にとって第一の眼鏡レンズ（以前の眼鏡レンズはない）であるかどうか、リスト１４２（「レンズタイプ」）から選択できる。累進レンズを装用していた場合は、例えば材料、屈折度数および／または累進帯長についての更なる情報を、例えばポップアップメニューに作ることができる。さらにまた、以前の眼鏡レンズの累進帯長は、選択された以前の製品に基づいて自動的にあるいは手動で入力できる。特に、以前の眼鏡レンズの累進帯長は、例えば「標準」若しくは長い累進帯長あるいは短い（「ＸＳ」）累進帯長として大まかに分類できる。
【０１７６】
以前のレンズの加入度が判る場合は、専用の入力領域１４４「以前のレンズの加入度」に入力できる。したがって、以前のレンズの加入度は、新しい加入度と比較できる。加入度が０．５Ｄ以上増加する場合、加入度の増加の詳細を指摘する注意領域（例えば、ポップアップウインドウ）を開くことができる。
【０１７７】
図７は、視野領域の個々の選択および重み付けに関するデータを入力するための、マスクあるいはグラフィックユーザインターフェース１４６（設計プロファイラ）の実例を示している。
【０１７８】
遠用部、中間部、近用部、および眼鏡装用者の能動的な挙動についての、眼鏡装用者の領域を象徴する５つの異なる絵文字が、設計プロファイルを選択するときに重み付けされる。これらの絵文字は、各距離ゾーンの実施例としての役割を果たすとともに、その距離についてあり得る活動の小さな選択を示すだけである。割り当てられたポイントにより、領域に重み付けすることができる。
【０１７９】
具体的に、合計９つのポイントを４つの異なる領域（遠用、中間、近用、能動的動作）に割り当てることができる。その距離領域が顧客にとってより重要であり、かつ彼らの活動のより多くがその領域に区分されると、この領域にはより多くのポイントが割り当てられる。領域あたりのポイントの数およびポイントの全体数は制限される。例えば、１つの領域には最高で５つのポイントを割り当てることができるが、全体で９つを越えることはできない。
【０１８０】
割当られたポイントは、眼鏡装用者の個々の設計プロファイルを決定する。簡略化された用語で表されている。所与の全てのポイントに関してより多くのポイントを遠用部に割り当てると個々の遠用部基準点が低くなり、かつ全てのポイントに関してより多くのポイントを近用部に割り当てると個々の近用部基準点はより高くなる。能動的挙動および中間視野のためのポイントは主に累進領域の長さに影響を与え、したがって眼鏡レンズにどのくらい歪がないかを決定する。各領域に対する同じ数のポイントの配分は、バランスのよい汎用設計に対応する。
【０１８１】
図８は、個々の眼鏡レンズ設計１４８の遠用部および近用部の基準点の位置を示している。遠用部基準点（領域１５０）および近用部基準点（領域１５２）を見い出すことができる領域（１５０および１５２）は、好ましくは背景が灰色である。中心合わせおよび／またはフィッティングポイントの位置は、十字１５４（中心合わせ十字）によって、マークされている。遠用部基準点は、２つの丸括弧１５６の中央にある。近用部基準点は、近用部の測定円１５８の中央にある。
【０１８２】
遠用部基準点の垂直方向の高さは、この眼鏡レンズの中心合わせおよび／またはフィッティングポイントの組に対して、好ましくは眼鏡装用者の個々のデータ応じて＋４〜−４ｍｍの範囲で製造業者によって、柔軟に決定できる。近用部基準点は、中心合わせおよび／またはフィッティングポイントの垂直方向下側１３〜２０ｍｍの間で柔軟に決定できる。これは柔軟に選択可能な、最小で１３ｍｍ最長で２４ｍｍの累進帯長に帰着する。好ましくは、遠用部および近用部の基準点は、許容され得る範囲で０．１ｍｍ刻みで自由に決定できる。例えば、遠用部基準点が垂直方向高さで−４ｍｍ移されると、近用部基準点は垂直方向高さが少なくとも−１７ｍｍでなければならない。遠用部基準点を＋４ｍｍ移すと、近用部基準点は−１３ｍｍを越えることができないので、最短の累進帯長は１７ｍｍとなる。
【０１８３】
下側のフレーム縁部から近用部基準点への最小限の垂直方向距離は好ましくは２ｍｍである。遠用部基準点の上側のフレーム縁部からの垂直方向距離は、最小で６ｍｍ、好ましくは８ｍｍである。最大限に許容可能な累進帯長は、遠用部および近用部基準点のそれぞれ上下のフレーム縁部からの最小限に許容し得る距離によって、計算できる。累進帯長は、遠用部基準点と近用部基準点の間の垂直方向の距離として定義される。
【０１８４】
多重焦点レンズにおいて、設計ポイントを移動することにより達成される効果は、以下の表から判る。
【０１８５】
【表１】
0005642390.tif 000020
【０１８６】
遠用部および近用部の基準点の位置は、望ましくは左右の眼鏡レンズにおいて、同一である。しかしながら、視野の高さが異なる場合は、両目のうちの１つの視野領域は否定的な影響を受け得る。両眼の視野領域を完全に用いるためには、近用部基準点の中心合わせポイントからの垂直方向距離をより小さく選択して決定することが有利である。
【０１８７】
図９は、この関係を説明している。図９において、
F1L,R   左側（Ｌ）および右側(Ｒ)の眼鏡レンズにおける「中心合わせポイント〜上側のフレーム縁部」の垂直方向距離。また
F2L,R   左側（Ｌ）および右側(Ｒ)の眼鏡レンズにおける「中心合わせポイント〜下側のフレーム縁部」の垂直方向距離。
【０１８８】
図９においては、中心合わせポイントと遠用部基準点とが一致している。近用部基準点の適切な垂直位置の選択が下側のフレーム縁部に基づいてなされると、中心合わせポイントからの近用部基準点の垂直方向距離は右側の目で−１８ｍｍとなり、かつ左側の目で−１７ｍｍとなる。この場合は、より小さい距離を選択して決定することが好ましい。
【０１８９】
屈折を決定するときの「遠用部」および「近用部」における目標物との距離は、計算および最適化において、考慮に入れる。これにより、実際の装用状態に対応する光線の経路をより正確にシミュレーションすることができ、したがって結像品質を改善できる。
【０１９０】
特に、レンズを計算するときに、眼鏡レンズを装用した実際の位置における近用部の主要な視野距離を考慮することは可能である。図１０ａは眼鏡レンズを実際に装用した位置における近用部の主要な視野距離を示しており、かつ図１０ｂは屈折を決定するときの近用部の屈折距離あるいは近用部の距離を示している。
【０１９１】
一般的に、加入度は４０ｃｍの近用部屈折距離で決定され（２．５０Ｄまでの加入度に当てはまり、より高い加入度については加入度の逆数が有効）、かつ４０ｃｍの近用部視野において、主要な視野距離に対応するものと仮定する。近用部視野における主要な視野距離が近用部屈折距離からずれる場合、個々の眼鏡レンズ設計はこの主要視野方向のために最適化できる。
【０１９２】
眼鏡装用者の個々のデータに基づいて遠用部および／または近用部基準点の最適な個々の位置を決定したときには、このように決定された遠用部および近用部基準点の位置に対応する眼鏡レンズ設計は、選択的に眼鏡装用者の更なる個々のパラメータを考慮しつつ自動的に計算される。
【０１９３】
図１１に示すように、結果（推奨設計）を提示するために、適切なグラフィックユーザインターフェース１６０Ａによって、設計提案を視覚化できる。設定の選択に応じて、追加のグラフィックユーザインターフェース１６０Ｂ（設計チューナ）を示すことができる（図１２を参照）。これにより、結果の提示に加えて、ユーザには、遠用部および／または近用部基準点の個々の位置を変えることによって、および／または眼鏡装用者の個々のデータ（特に選択、フレームデータ、その他）を変更することによって、積極的に設計を変える可能性が与えられる。加えて、眼鏡レンズの対応する幾何学的なデータ（中心部の厚み、縁部の厚み、ベースカーブ、重量）を計算し、適切なグラフィックユーザインターフェース（好ましくは３次元モジュール形態）によって、同様に視覚化できる。
【０１９４】
グラフィックユーザインターフェース１６０Ａおよび１６０Ｂは、２つの領域に分割されている。上側の領域１６２には、「視野」および／または「性能」に関する情報が、提案される個々の眼鏡レンズ設計と共に示されている。下側の領域１６４には、個々の眼鏡レンズまたは眼鏡の「外観」および「幾何学的形状」に関する情報が示されている。
【０１９５】
「外観」領域１６４には、縁取られた眼鏡レンズの、特に美容上の特性および眼鏡レンズの美観に関するデータ（例えば重量や、製作高さ、縁部の最大厚み、中心部の厚み、ベースカーブ、その他といった幾何学的なデータ）を視覚化してグラフィカルに提示できる。眼鏡レンズの美容上の特性の視覚化は、例えば図１１および図１２に示したように、決定された幾何学的なデータによる眼鏡レンズ１６６のモデルの３次元グラフィック表現によって、達成できる。眼鏡レンズの美容上の特性の表現は、ベースカーブおよび屈折率の選択によって、影響を受け得る。この選択は、効果に応じて決定できる。
【０１９６】
さらにまた、「外観」領域１６４は、副領域１６８を含むことができ、そこには縁取られたレンズの製作高さ、縁部の最大厚み、中心部の厚み、重量、ベースカーブといった眼鏡レンズの幾何学的性質に関する数値が示される。これらの値は、選択的に、実際のレンズの幾何学的形状データからずれた近似値でもよい。刻印に加えて、個々に決定された遠用部および近用部基準点をマーキングポイントとして図示できる。
【０１９７】
縁取られた眼鏡レンズの眺め１６９は、適切なボタンによって、異なる方向（フレームの上部、正面、側方、斜め上方から）の静的な斜視図として示すことができる。さらに、縁取られた眼鏡レンズは、アニメーションボタンを押すことにより、選択された眺めにおいて、動的に回転させることができる。より詳細な眺めのために、対応するボタンによって、結像を拡大できる。
【０１９８】
さらにまた、「外観」領域１６４は、屈折率に関する数値を示すためのセクション１７０、およびベースカーブを示すセクション（セクション１７２）を有している。ベースカーブおよび屈折率について提示される値には、効果の範囲、必要な直径、ベースカーブの要望、および屈折データが含まれる。したがって、ベースカーブからのずれを「注文された値」マスクに入力できる。ベースカーブおよびレンズの屈折率について技術的に実現可能な値は、対応する選択領域を介して変更できる。デフォルトのベースカーブ、屈折率、その他を変更した場合、グラフィック図および幾何学的なデータは、「リフレッシュ」ボタンを押すことにより、変更された値に基づいて再び計算できる。
【０１９９】
眼鏡レンズの美容上の特性の視覚化に加えて、眼鏡レンズの光学的性質（視野領域、特に個々の視野領域の空間的な位置およびサイズ）の視覚化が行われる。視野領域のサイズの表現は、可能な材料への依存を考慮することなく、処方データに対して単に行われるだけである。もちろん、材料の依存の考慮も提供できる。「外観」の視覚化に加えて、眼鏡レンズを介した「視野」の視覚化もまた行われる。特に、視野の快適さ（例えば下転、揺れ、周辺部の視野、歪、その他）の視覚化も提供できる。
【０２００】
加えて、視野領域、視野の快適さ、および／または個々の眼鏡レンズの美容上の特性や美観に関する性能値の適切な表現も提供できる。さらにまた、代わりの設計提案の性能値もまた提示するとができる。
【０２０１】
したがって、グラフィックユーザインターフェース１６０Ａおよび１６０Ｂの「視野」領域１６２は、いくつかの副領域に常に分割されている。
【０２０２】
領域１６２の副領域１７４「両眼視野領域の表現」には、顧客および特定されたフレームにとって理想的な設計が省略符号によって、模式的に図示される。灰色の部分は、収差（例えば装用位置の０．５Ｄより大きい非点収差）がある領域である。さらに、０．５Ｄの等非点収差線の方向も選択的に図示するとができる。遠用部および近用部基準点の垂直方向の高さは、（選択的に異なる色の）線１７５、１７６によって、それぞれ特徴づけることができる。領域１６２の副領域１７７には、遠用部および近用部基準点の空間的な位置（特に中心合わせポイントに対する垂直方向の高さ）の数値が図示されている。
【０２０３】
領域１６２の副領域１７８「設計プロファイル」には、視野領域のサイズの相互の質的な比較が、例えば異なる長さの棒の形で示されている。ここでＦは遠用領域、Ｚは中間領域、かつＮは近用領域を示している。それぞれの棒あるいはスライドの長さは、対応する距離領域についての優先度の設定に関連している。設計プロファイルの長さは、前述したマスクの値から生じるので、先に顧客がなした選択および重み付けから逸脱し得る。さらに、個々の眼鏡レンズを介した動的な視覚の印象の質的な評価を提示できる。動的な視覚の印象を示している棒（棒「動的」）が高いほど、累進帯長が長く、眼鏡レンズは単一視野レンズにより似ることになり、かつ眼鏡レンズの揺れ効果は少なくなる。
【０２０４】
加えて、眼鏡士および／または眼鏡装用者には、このように計算された眼鏡レンズを積極的に変更する可能性を与えることができる。この変更は、例えば空間的な位置、特に遠用部および／または近用部基準点の垂直方向高さを積極的に変更することにより行うことができる。あるいは、視野領域の重み付けを変更できる。
【０２０５】
視野領域に対する遠用部および／または近用部の基準点、および／または好みの位置の変更または適合は、例えばグラフィックユーザインターフェースにより行うことができる。スライドコントロール１８０の形態の適切なグラフィックユーザインターフェースの実例が図１２に示されている。図１２に示されているスライドコントロール１８０によって、遠用部および／または近用部基準点の位置の直接的な調整が可能となる。
【０２０６】
遠用部および／または近用部基準点の位置を変更した新規な眼鏡レンズ設計は、好ましくはリアルタイムに計算されて視覚化される。好ましくは、新規な眼鏡レンズ設計の光学的性質の古いものに対する相違あるいは変化もまた視覚化される。
【０２０７】
設計推奨（図１１）において、説明した可能性に加えて、ボックス寸法内の省略符号を設計チューナにおいて、弱めることができ、特定された中心合わせは類似の、両眼顧客フレームに対応している。さらにまた、提案された個々の設計は、遠用部および近用部の基準点のためのスライドコントロールを、上方あるいは下方にスライドさせることによって、変更できる。遠用部および近用部の基準点のための表示領域内にある注文パラメータにおいては、基準点の位置の数値が対応して変化する。さらに、遠用部および近用部の基準点のための線もまた、両眼視野領域の表現において、移動する。
【０２０８】
設計推奨の灰色の視野領域に加えて、変更された個々の設計を示す、好ましくは色付き（例えば黄色）の視野領域ライン（例えば０．５Ｄの等非点収差線）を表すことができる。また、設計プロファイル１７８の副領域においては、視野領域のサイズの相互の関係および棒「動的」の長さもまた変化する。セクション「設計プロファイラ」に割り当てられたポイントは、好ましくはセクション「設計チューナ」の変化により影響されない
【０２０９】
以下の実施例は、眼鏡装用者について得られた個々のデータに応じて個々に決定された遠用部および近用部の基準点による個々の累進設計を示している。
【０２１０】
実施例１
眼鏡装用者：建築家
【０２１１】
この眼鏡装用者は、広い中間領域に大きな重要性を付与すると共に、揺れの小さい「静かな眼鏡レンズ」を持つことを望んでいる。彼は、仕事上の理由により、一日のほとんどにおいて、中間領域（中間距離）を用いるからである。彼の現在の眼鏡については、彼は１８ｍｍの累進帯長の累進レンズを着用している。
【０２１２】
この眼鏡装用者には、選択されたフレームおよび対応する中心合わせについて、プログラムは、中心合わせおよび／またはフィッティングポイントの上方＋２．４ｍｍに遠用部基準点を設定することを提案する。最適には、近用部基準点は、中心合わせおよび／またはフィッティングポイントの下方−１９ｍｍである。この累進眼鏡レンズにより、この建築家は、リラックスした頭部姿勢、広い中間領域、および彼の視野習慣における揺れのなさについて良好な折衷案を得た。
【０２１３】
実施例２
眼鏡装用者：編集者
【０２１４】
彼女は、大きな近距離領域に大きな重要性を付与すると共に、彼女の現在の眼鏡レンズよりも彼女の視野を低くする必要を無くしたいという要望がある。彼女は、仕事上の理由により、一日のほとんどにおいて、近用部領域で作業するからである。彼女の現在の眼鏡については、彼女は１８ｍｍの累進帯長の累進レンズを着用している。この眼鏡装用者には、選択されたフレームおよび対応する中心合わせについて、プログラムは、中心合わせおよび／またはフィッティングポイントの上方１．５ｍｍに遠用部基準点を設定することを提案する。最適には、近用部基準点は、中心合わせおよび／またはフィッティングポイントの下方−１５．５ｍｍである。これより、この編集者は、広い近用部領域とリラックスした頭部姿勢の良好な折衷案を得た。
【０２１５】
眼鏡装用者が、眼鏡レンズの広い中間領域および近用部領域と揺れのなさに大きな重要性を付与する場合、プログラムは、他の入力パラメータに応じて遠用部基準点を上方に移すことを提案する。これにより、遠用部基準点は中心合わせおよび／またはフィッティングポイントより上方にある。屈折データおよび個々のパラメータに応じて、中心合わせおよび／またはフィッティングポイントに最高＋０．２５Ｄの「ぼやけ」が生じ得る。この中心合わせポイントにおけるわずかなぼやけに加えて、遠用部領域における横方向の制約がまた生じ得る。遠用部基準点を上方に移すと、眼鏡レンズの累進性がより早く始まるので、眼鏡装用者は視野の０度方向を見入るからである。眼鏡レンズにおける累進領域の位置の変更により、周縁収差が「上方」に移動するので、中心合わせポイントのレベルにおける視野領域は小さくなり得る。しかしながら、遠用部基準点の位置を選択するときに、眼鏡装用者は、個々の視野習慣により設計されかつ最適化された眼鏡レンズ設計あるいは眼鏡レンズを得る。
【０２１６】
実施例３
野外で働く眼鏡装用者
【０２１７】
この眼鏡装用者は、特別な重要性を大きな遠用領域に付与する。仕事上の理由により、彼は一日のほとんどにおいて、遠用部領域を用いるからである。彼の現在の眼鏡について、彼は１８ｍｍの累進帯長さの累進レンズを装用している。この眼鏡装用者には、選択されたフレームおよび対応する中心合わせについて、プログラムは自動的に計算し、中心合わせおよび／またはフィッティングポイントの下方−２．５ｍｍに遠用部基準点を設定することを提案する。最適には、近用部基準点は、中心合わせおよび／またはフィッティングポイントの下方−１８．４ｍｍである。この累進眼鏡レンズにより、この眼鏡装用者は、大きな遠用部領域、揺れがほとんど無いないこと、使用に適した中間部領域および近用部領域の良好な折衷案を得た。
【０２１８】
実施例４
【０２１９】
どの活動および視野ニーズについて眼鏡装用者がその眼鏡を用いるかについての質問により、以下のプロファイルが得られた。
・  彼女は定期的に自動車を運転しかつテレビを見る。
・  彼女は楽器を演奏し、オーケストラのリハーサルに毎週２回参加する。
・  彼女は、夜に日刊紙を読むことを好む。
・  彼女は毎週１回スポーツ、例えばジョギングしあるいはクラブでハンドボールをする。
【０２２０】
彼女の現在の眼鏡について、彼女は通常の累進帯長の累進レンズを着用している。好みが判らないこと、および顧客の活動が遠用部、中間部および近用部の領域に等しくまたがっていることにより、全ての距離および活動の挙動あるいはダイナミックさに同じ数のポイントを割り当てる。言い換えると、全ての領域および動的な挙動あるいはダイナミックな特性は、等しく重み付けされる。具体例では、図７に示されている「設計プロファイラ」の全ての領域に２つのポイントが割り当てられる。グラフィックユーザインターフェースの「設計推奨」には、前述したマスクへの個々の入力を考慮した計算結果が示される。プログラムは、この顧客には遠用部基準点を−１８ｍｍに、かつ近用部基準点を０ｍｍに配置することを自動的に計算して提示する。この眼鏡レンズは、バランスのよい、累進帯長が１８ｍｍの汎用累進眼鏡レンズに対応する（例えば、Rodenstock GmbH社の眼鏡レンズImpressionILTAE）。設計を選択するときに、距離領域の１つにおけるいかなる活動にも力点が置かれていないと見なされるからである。
【０２２１】
実施例５
【０２２２】
どの活動および視野ニーズについて眼鏡装用者がその眼鏡を用いるかについての質問により、以下のプロファイルが得られた。
・  彼は乱されない遠用部視野に特別な重要性を付与する。仕事上の理由により１日のほとんどを車内で過ごすからである・
・  彼はダッシュボードをはっきりと見るために、中間的な距離の視野を必要とするだけである。
・  近用部視野は、例えば契約の締結といった短時間の書込動作のためだけに必要である。
・  彼は余暇にテニスやスカッシュをすることを好む、眼鏡レンズにほとんど揺れがないことは、彼には特に重要ではない。
【０２２３】
彼の現在の眼鏡について、彼は、通常の累進帯長（ＰＺＬ）の累進レンズを着用している。眼鏡装用者の好みは、はっきりとした遠用部視野であり、中間距離および近用部は従属的な役割をする。したがって、この具体例では、４つのポイントが遠用部に、中間距離および近用部にそれぞれ１つのポイントが割り当てられる（図７を参照）。例えば歪がないことおよび良好な空間認識といったダイナミックなスポーツからの必要により、図７に示した「設計プロファイラ」においては、活動的な挙動あるいはダイナミックさに３ポイントの重みが与えられた。グラフィックユーザインターフェースの「設計推奨」には、前述したマスクへの個々の入力を考慮した計算結果が示される。プログラムは、自動的に計算し、この顧客には遠用部基準点を−１．１ｍｍにかつ近用部基準点−１８．５ｍｍに配置することを提示する。近用部基準点の位置およびそれに関連する比較的長い累進帯長により、眼鏡レンズは単一焦点レンズに似ていて、ほぼ歪がない。これは、眼鏡装用者のスポーツ活動に積極的な影響を与える。
【０２２４】
実施例６
【０２２５】
どの活動および視野ニーズについて眼鏡装用者がその眼鏡を用いるかについての質問により、以下のプロファイルが得られた。
・  遠用部視野は従属的な役割を果たしている。彼は自動車を運転するときに通常は眼鏡を外すからである。
・  中間部視野は、彼にとって特に重要である。
・  例えば絵画スケッチに曲線を描く場合、この眼鏡装用者は異常な歪に敏感である。
・  仕事の後で、彼は探偵小説を読むことを好む。
・  ストレスの多い仕事によって、彼はスポーツあるいは他の活動の時間を持っていない。
【０２２６】
これにより、この眼鏡装用者にとって最も重要な距離は中間的な距離であり、近用部の視野もまた同様に重要であるが、遠用部視野および活動的な行動は従属的な役割をする。したがって、図７に示した「設計プロファイラ」では、遠用部視野および活動的な行動にそれぞれ１ポイント、中間的な距離に３ポイント、近用部視野に２ポイントが割り当てられる。グラフィックユーザインターフェースの「設計推奨」には、前述したマスクの個々の入力を考慮した計算結果が示される。プログラムは自動的に計算し、この顧客については遠用部基準点を＋０．７ｍｍに、かつ近用部基準点を−１８．５ｍｍに配置することを提示する。これより、最大限に可能な中間領域が実現する。近用部基準点の位置およびそれに関連する比較的長い累進帯長により、この眼鏡レンズは単焦点レンズに似ていてほぼ歪がない。これは、絵画的なスケッチを描く彼の作業の間、この眼鏡装用者にとって有益である。
【０２２７】
実施例７
【０２２８】
どの活動および視野ニーズについて眼鏡装用者がその眼鏡を用いるかについての質問により、以下のプロファイルが得られた。
・  彼女は遠用部視野の活動にはほとんど眼鏡を用いない。したがって、それは従属的な役割である。
・  文書を読むことは彼女の仕事において、特に重要である。
・  彼女は近用部視野の作業のための快適な下転に大きな重要性を付与する。
・  仕事場でのかなり静的な姿勢により、揺れは従属的な役割をする。
・  時折のコンピュータ作業のために中間距離の視野が必要である。
【０２２９】
この眼鏡装用者にとって最も重要な距離は、近距離である。中間距離もまた同様に重要であるが、遠用部視野および活動的な挙動は従属的な役割をする。したがって、図７に示されている「設計プロファイラ」では、近用部視野には４ポイント、中間距離には２ポイント、遠用部視野および活動的な挙動にはそれぞれ１ポイントが割り当てられる。グラフィックユーザインターフェースの「設計推奨」では、前述したマスクへの個々の入力を考慮した計算結果が示される。プログラムは自動的に計算して、この顧客について遠用部基準点を＋０．８ｍｍにかつ近用部基準点を−１７．０ｍｍに配置することを提示する。これより、顧客のニーズのために最大限可能な中間領域が実現する。近用部基準点の位置により、近用部視野での作業に快適な下転についての眼鏡装用者の要望は、彼女のための個別な累進レンズにおいて、実現される。
【０２３０】
「活動的な選択を適用」ボタンにより、その注文についてどのデータが適用されるべきかが決定される。例えば、目下のところ活動的な（バックグラウンドではない）領域のためのデータは、常に適用される。「活動的な選択を適用」ボタンを押した後、結果が記入された注文書を印刷できる。注文書は、例えば色、コーティング、ColorMaticカラー、測定フレーム、その他といった更なる詳細と共に仕上げることができる。また、個々のデータを記録しおよび／または眼鏡レンズ製造業者にオンラインで送ることができる。
【０２３１】
眼鏡装用者の個々のデータは適切な注文書によって、入手し、眼鏡レンズ製造業者に送り届けることもできる。図１３は、典型的な注文書を示している。注文書には、入手した個々の屈折データ（球面度、円柱度、軸、プリズム、基底）、フレームおよび中心合わせデータ、眼鏡装用者の目の個々のパラメータおよび個々の装用位置（瞳孔間距離、表面の形態角度、前傾角、角膜頂上間距離、その他）、および選択的な更なる個々のデータが示されている。注文書の助けを借りて、それらが汎用累進レンズ設計（例えば、Rodenstock GmbH社のImpression（登録商標）あるいはImpressionXS（登録商標））の位置に対応するように、遠用部および／または近用部基準点の位置を選択することが可能である。１６ｍｍの中間の累進帯長を特定することもまた可能である。あるいは、遠用部および／または近用部基準点の位置は、個々のフレームデータ（フレーム最適化設計）に応じて特定できる。このようにして、例えば、遠用部基準点を中心合わせポイント（すなわち０ｍｍで）上に特定し、かつ近用部基準点を下側フレーム縁部の２ｍｍ上方に特定することもできる。さらにまた、遠用部および近用部基準点の位置は、前に詳述したように、更なる個々のデータ（例えば、活動についての強調および視野領域の選択）を考慮して個々に決定することもできる。
【０２３２】
その後、個々の眼鏡レンズを計算して最適化するが、最適化は入手した個々のデータ、特に眼鏡装用者の個々のパラメータおよび個々の装用位置に関するデータ（反り角、前傾角、瞳孔間距離、角膜頂上間距離、その他）の少なくとも一部を考慮して行われる。
【０２３３】
装用状態における眼鏡レンズの結像特性を説明しおよび／または計算するために、幾何光学においては２つの計算法が公知である。
【０２３４】
−  光線の計算（光線追跡）、および
−  波の計算（波面追跡）
である。
【０２３５】
「光線追跡」という用語は、光線（ドイツ語：Strahl）および追跡（ドイツ語：Verfolgung）から成る。幾何光学において、光線追跡法は、光学的な結像を説明するために用いられる。しかしながら、光線追跡による眼鏡レンズの計算にはかなりの時間がかかる。眼鏡レンズの各ポイントについて、実際の光線あるいは主要な光線を除き、眼鏡レンズを通過する隣接した光線の「付随する」束も同様にシミュレーションしなければならないからである。
【０２３６】
好ましくは、個々の眼鏡レンズは、波面追跡法、特に局所的な波面の最適化により計算される。用語「波面追跡」は波面（ドイツ語：Welle）と追跡（ドイツ語：Verfolgung）から成る。波面は、光線と同様に光学的イメージングを説明しあるいは計算するために用いられる。波面は、伝搬性の波の同位相の表面である。そのような波面は隣接する光線の束の全ての特性を単一の対象に組み合わせる。それによって、計算時間を大幅に減少させることができるので、一つの眼鏡レンズの個別な最適化が可能となる。特に、遠用部および／または近用部の設計ポイントの自由な選択により、眼鏡レンズのイメージング特性の分布を眼鏡装用者の個々の視野習慣に合わせることができる。
【０２３７】
図１４は、特定の装用位置における眼鏡レンズの生理的および物理的なモデルを模式的に示している。無限に遠い対象１８４からの光線が全て平行であることは図１３に見ることができるが、それは平坦な波面１８６に反映される。対照的に、近い対象１８８から来る光線は発散する。したがって波面１９０は湾曲する。好ましくは球状の前側表面１９２および個々に計算された累進非トーリックの後側表面１９４を具備している眼鏡レンズは、対応する対象１８４、１８８が目２００の網膜上にはっきりと画成されるように、各波面１９６、１９８を目の側に湾曲させなければならない。理想的なケースでは、これらの波面は、目の側において、視野のあらゆる方向において、同程度に湾曲しなければならない。
【０２３８】
眼鏡レンズの計算には、好ましくは、複数の評価ポイント（好ましくは７０００以上の評価ポイント）を具備して個々に計算される累進表面の柔軟な表面設計が活用されるが、これらの評価ポイントはそれ自身の局所的な波面追跡に割り当てられる。好ましくは、個々の累進表面は、評価ポイントにおいて、評価された目標関数を最小化することによって、かつ生理的な視野モデルを考慮することによって、最適化される。このように、個々の波面追跡による様々な目標関数によって、眼鏡レンズの最適化を迅速に、したがって注文書を受け取った後にオンラインで実行することが可能である。
【０２３９】
眼鏡レンズの計算は、好ましくは、高次元の空間内の２０００以上の最適化パラメータによる最適化から成る。これにより、このように実行されるリアルタイムなオンラインによる最適化のために、マルチプロセッサメインフレームコンピュータを用いることができる。
【０２４０】
好ましくは、眼鏡レンズの個々の最適化においては、低次元の収差（球面度、円柱度、プリズム）だけでなく、高次元の収差（例えば、コマ収差や球面収差）も最小化される。この点については、米国特許第７，０６３，４２１号Ｂ１公報を参照されたい。個々に計算された眼鏡レンズの製作は、例えば精密機械、好ましくは計算された表面データをマイクロメートルの精度で精密に実現できるコンピュータ数値制御の研削研磨機により行う。
【０２４１】
好ましくは、個々の眼鏡レンズの最適化においては、特にリスティング則を考慮に入れる。
【０２４２】
図１５ａおよび 図１５ｂは、リスティング則を考慮に入れた場合（図１５ａ）およびリスティング則を考慮しない場合（図１５ｂ）の眼鏡レンズの軸位置を模式的に示している。
【０２４３】
周辺部の視野がずれるとき、あるいは視線が移動するとき目にわずかな眼球回旋が生じるので、眼鏡レンズの全体にわたって固定された円柱軸があってはならず、それは水平方向から垂直方向（図１５ｂ）に移行するときに変化しなければならない。目の円柱度（屈折によって、判る）が眼鏡レンズによって、十分に修正されるべき場合、眼鏡レンズの円柱軸の位置は、その眼球回旋のため、目の実際の軸位置と十分にマッチしなければならない。目および眼鏡レンズの軸位置がマッチしない場合、両者は斜めに交差する円柱となる。斜めや、横方向に視野がずれる場合、眼鏡装用者は修正されない非点収差を有することになる。これは、１つの領域内において、視野を失うことになる。好ましくは、ねじれ調整は個々の眼鏡レンズの計算において、考慮される。以下の場合、リスティング則の考慮はいっそう重要となる。
−  顧客の屈折円柱度がより高い場合、および／または
−  水平方向および垂直方向の可動域からの視野のずれがより強い場合、および／または
−  全体的な視野のずれがより強いあるいはより大きい場合
【０２４４】
累進的な前側表面と球状／円環状の処方表面とを有した通常の累進眼鏡レンズにおいては、累進的な、個々の、目の側の自由形状表面を有した眼鏡レンズとは対照的に、リスティング則を適用することはできない。
【０２４５】
さらに好ましくは、個々の累進眼鏡レンズの最適化および計算においては、個々のアンカットレンズ偏心量を考慮に入れる。したがって、使用可能な直径が増大する。最適なアンカットレンズ偏心量は、フレームおよび眼鏡レンズ形状に関するデータと中心合わせに関するデータに基づいて自動的に計算できる。あるいは、個々のアンカットレンズ偏心量は、検眼士自身が設定できる。この場合、特別な中心合わせカードにより決定される所望の直径もまた考慮に入れることができる。特に、最高５ｍｍのアンカットレンズ偏心量を考慮できる。
【０２４６】
個別に計算された眼鏡レンズは、好ましくは球形あるいは回転対称で非球面な対物側の前側表面と、個々に決定された遠用部および近用部の基準点あるいは設計点、個々の屈折データ、眼鏡装用者の個々のパラメータ、および装用状態（例えば瞳孔間距離、前傾角、反り角、角膜頂点間距離、その他）に応じて最適化された個々の、累進的な、目側の自由形状表面とを備える。
【０２４７】
個々の遠用部および近用部基準点の位置は、好ましくは、恒久的ではないマーキングによる個々の捺印によって、印付けされる。好ましくは、個々の遠用部および近用部基準点の位置は、眼鏡レンズの恒久的なマーキングあるいは微小な刻印あるいは修復規則（テンプレート、中心合わせカード）によって、独自に再構築できる。
【０２４８】
図１６ａ、 図１６ｂは、２つの個々の累進眼鏡レンズの恒久的ではない印付けの実例を示している。
【０２４９】
本発明の好ましい方法によって、最適化された、個々の眼鏡レンズの恒久的でないマーキングあるいは印付けは「可動」および「固定」部分から成る。可動部分は、遠用部基準点あるいは遠用部設計点の位置を印付けする２つの丸括弧２０２と、近用部基準点あるいは近用部設計点の位置を印付けする近用部測定円２０４とを有している。遠用部基準点は丸括弧２０２の中央に、かつ近用部基準点は近用部測定円２０４の中央に配置されている。これにより、個々の眼鏡レンズの印付け、遠用部および近用部基準点の位置に応じて異なって見える。中心合わせおよび／またはフィッティングポイントの位置は、十字２０６（中心合わせ十字）によって、印付けされる。
【０２５０】
通常の場合、プリズム基準点２０８は、中心合わせポイントの４ｍｍ下方に配置される。不同視が強い場合、および特定の重み付けについての顧客の要望がある場合（例えば、プリズムの垂直方向のずれを近用領域にマッチさせる場合）は、プリズムのマッチポイントを所望の方向に移すことができる。
【０２５１】
図１６ａに示した実施例では、遠用部基準点が中心合わせポイントのレベルに配置されている。近用部基準点は、中心合わせポイントの下方−１８ｍｍの垂直方向レベルに配置されている。図１６ｂは、個々の眼鏡レンズにおけるの個々の印付けあるいは個々の印付けイメージの更なる実施例を示している。眼鏡レンズは、広い遠用部領域に大きな重要性を与える眼鏡装用者のために個別に計算されて最適化される。遠用部基準点は中心合わせおよび／またはフィッティングポイントの下方−４ｍｍの垂直方向レベルにあり、かつ近用部基準点は中心合わせおよび／またはフィッティングポイントの下方−１８ｍｍの垂直方向レベルにある。
【０２５２】
好ましくは、遠用部および近用部基準点の位置の値（特に、中心合わせおよび／またはフィッティングポイントに対する垂直方向レベル）は、眼鏡レンズに恒久的に刻印される。
【０２５３】
例外的な場合、印付けは上述したものとは異なり得る。さらに、遠用部および近用部基準点および／または中心合わせおよび／またはフィッティングポイントの位置の明確、かつ非恒久的な印付けは省略できる。
【０２５４】
しかしながら、基準点は、中心合わせカード、１ｍｍ間隔で印付けされたスケール、およびレンズ箱から構成される再構築ルールによって、独自に決定できる。基準点を再構築するためには、眼鏡フレームを中心合わせカードの中心合わせ十字上に置き、マークされた中心合わせポイントおよび遠用部および近用部基準点の位置を眼鏡レンズ上に描く。遠用部および近用部の基準点の位置は、鼻側ベースカーブの下方に恒久的に刻印された値およびインデックス刻印の助けを借りて決定することもできる。
【０２５５】
基準点の位置の再構築に加えて、対応する中心合わせカードによって、未加工の丸い眼鏡レンズの最適な直径を決定できる。
【０２５６】
中心合わせカードによる最適直径の決定は、以下の通りに実行できる。
１） 水平方向の中心合わせに関係なく、中心合わせカードの最小限界直径円に対応する、選択されたフレームに対応する最小直径を決定する。この値は、直径の注文（例えば５０／６０）における第１の値に対応する。
２） フィッティング処理で決定された視覚ポイントを、中心合わせカードの中心合わせ十字と一致するように中心合わせカード上で位置決めする。
３） 最も大きい必要直径を読み込む。鼻方向の偏心については、一般的であるが（フレームもの中心距離より小さい瞳孔間距離ＰＤ）、これが一時的にフレームの限界を決める直径円である。この値は、直径注文（例えば５０／６０）の第２の値に対応する。好ましくは、使用可能な直径と最小直径との違い１０ｍｍを超えない。
４） 直径が鼻側と一時的に等しい場合、注文書の中心の説明が推奨される。
【０２５７】
個々の眼鏡レンズはまた、恒久的でないマーキングあるいは印付けに加えて、恒久的な（微小）刻印を有している。
【０２５８】
図１７は、後方から（すなわち、目の側から）見た、個々に最適化された左側の眼鏡レンズの恒久的な刻印を示している。眼鏡レンズの芯合わせのための機能的な刻印あるいは恒久的なマーキングは、無限記号である。２つの機能的な刻印２１０、２１２は、中心合わせポイントあるいは中心合わせ十字のレベルにおいて、３４ｍｍの相互距離で配置されている。鼻側の無限記号２１２の下方には、ベースカーブ刻印２１４およびインデックス刻印２１６が配置されており、両方とも２桁の数字が付けられている。その下方にある刻印２１８は、遠用部および近用部基準点の位置のためのものである。第１の数字は、中心合わせおよび／またはフィッティングポイントに対する遠用部基準点の垂直方向距離を示している。第２の数字は、中心合わせおよび／またはフィッティングポイントに対する近用部基準点の垂直方向距離を示している。
【０２５９】
遠用部基準点は、好ましくは中心合わせポイントの下方あるいは上方−４〜＋４ｍｍの範囲にある。近用部基準点は、好ましく中心合わせおよび／またはフィッティングポイントの下方−１３〜−２０ｍｍの範囲にある。
【０２６０】
２桁の加入度刻印２２０は、機能的な刻印２１０の下方に一時的に配置されている。
【０２６１】
要約すると、図１７は以下を示している。
∞   機能的な刻印
２５ 加入度
６５ ベースカーブ
６０ 屈折率
−４ 遠用部基準点の中心合わせおよび／またはフィッティングポイントからの垂直方向の距離
１８ 近用部基準点の中心合わせおよび／またはフィッティングポイントからの垂直方向の距離。
【０２６２】
完成したおよび印付けされた眼鏡レンズは、レンズ箱に包装され、検眼士／顧客に供給される。レンズ箱の実例が図１８に示されている。図１９は、レンズ箱上に用いられている絵文字およびシンボルのリストを示している。
【０２６３】
眼鏡装用者の個々のデータは、各レンズ箱上に印刷されている。より詳しくは、以下のデータが各レンズ箱上に印刷されている。
【０２６４】
−  レンズの種類、材料、色、コーティング、直径
−  注文された値：球面度、円柱度、軸、プリズム（結果）、基底（結果）、加入度、  −  遠用部測定点における焦点距離計のための目標測定値、および凹状頂上点における加入度、プリズム基準点おける測定可能なプリズム（ＤＲＰおよび注文されたプリズムから成る）、
−  プリズム屈折データ：屈折のタイプについての情報：ＰＤ中心合わせ（ＰＭＺ）あるいは同一視の場合（ＦＦ）、および必要な中心合わせ矯正の寸法および方向、
−  全体的な注文データ、レンズ箱の裏面にある追加の情報および依頼事項、
−  個々のパラメータについての情報：単眼のＰＤ、ＣＶＤ、ＦＩ、ＦＦＡ、
−  設計ポイントについての情報：中心合わせおよび／またはフィッティングポイントに対する遠用部および近用部基準点の位置
−  レンズのベースカーブ、アンカットレンズの偏心量、および内寄せ量レンズ形状および中心合わせデータが公知の場合には、フィッティング（ＣＯＲ  ＰＤ）のための修正ＰＤの表示。
【０２６５】
レンズ箱は、特に眼鏡フレームに正しくフィットさせるために重要なデータ、特にフレームおよびレンズ形状に関するデータを収容している。
【０２６６】
特に、レンズ形状および中心合わせデータが示されている注文の場合は（例えば、スポーツ用保護眼鏡）、修正された瞳孔間距離ＰＤがフィッティングのために計算される（ＣＯＲ  ＰＤ）。これは、すでにレンズが設けられている眼鏡において、正しい顧客ＰＤを入手するために必要である。また、矯正されたと眼鏡レンズにおいて、形状が示されている場合は、顧客ＰＤの代わりにＣＯＲ  ＰＤをフィッティングのために用いる。水平方向および垂直方向のベース位置について必要なプリズムの中心合わせ矯正は、眼鏡レンズの計算において、すでに考慮に入れられている。したがって、レンズ箱上の中心合わせ矯正の値は、常にゼロである。
【０２６７】
形状表示のない注文の場合は、ＣＯＲ  ＰＤを計算することはできない。その計算に必要なされるパラメータ（フレームおよび中心合わせデータ）が伝達されていないからである。好ましい最適化の方法によって、個別に最適化されたプリズムが矯正された累進眼鏡レンズにおいては、水平方向および垂直方向のベース位置によるプリズムの中心合わせ矯正は、レンズを計算したときにすでに考慮されている。レンズ箱上の中心合わせ矯正のための値はゼロのままである。形状が示されない注文においては、この値はＰＤに関連する。
【０２６８】
図２０ａおよび図２０ｂは、眼鏡装用者の目の前における累進眼鏡レンズの中心合わせおよび対応する基準点の位置を示している。図２０ａに示されている眼鏡レンズは、遠用部および近用部基準点の位置が本発明の好ましい方法によって、個々に決定された個別の眼鏡レンズである。特に、図２０ａに示されている眼鏡レンズの位置は、フレームデータに応じて個別に特定されている。図２０ｂに示されている眼鏡レンズは、標準的な眼鏡レンズである。
【０２６９】
個別に計算された累進眼鏡レンズは、基準点の要求に応じて調整される。これは、頭部および胴体がいつもの姿勢にありかつ視野が０度方向にあるときに、中心合わせあるいはフィッティングポイント（若しくは中心合わせ十字）が瞳孔の中央にあるべきことを意味している。最小限のフィッティング高さは、近用部基準点の位置に左右される。しかしながら、フレーム内において、近用部基準点の下方に少なくとも２ｍｍあることが好ましい。したがって、最小限のフィッティング高さは、好ましくは中心合わせポイントの下方１５ｍｍである。累進レンズが中心合わせの推奨と異なって調整されると、結像特性は制限される。
【０２７０】
眼鏡レンズの中心合わせを誤った場合、特に中心合わせがあまりに低い場合、この低い中心合わせはすでに遠用部領域におけるわずかな制限に結びつく。この相違は、眼鏡レンズが最適化の基礎となっている装用状態で着用されていないときに特に発生する。
【０２７１】
しかしながら、遠用部領域とは対照的に、低い中心合わせによる眼鏡レンズのかなりの制限を近距離領域に見い出すことができる。一方では、これらの制限は、フレーム寸法のために近用部領域がもはやフレーム内にはなく、近用部領域より明らかに狭い累進領域を介して眼鏡装用者が近用部視野を見るという事実から生じる。他方では、眼鏡レンズが最適化の基礎となっている装用位置に装用されていないことによって、追加の誤差が発生する。さらにまた、下転が同じ場合、近用部における屈折度数が達成されず、顧客には調整を追加する苦労がある。
【０２７２】
したがって、視野領域の強調は、遠用部および／または近用部基準点を上述したように移すことによって、正しく作り出すことができる。加えて、例えば特に背が高いあるいは低い人の場合には、視野の主要方向のずれにより、主要な視野領域は視野の各主要方向と一致するように個別に配置できる
【０２７３】
基準点については、いわゆる目標測定値も同様に測定される。この目標測定値は、注文された値に加えて個々の眼鏡レンズのレンズ箱上に示される。この目標測定値は、好ましくは凹状頂上測定位置に関連する。公差の考慮は、注文値にではなく目標測定値に関連する。
【０２７４】
遠用部度数
球面度、円柱度および軸の目標測定値は、遠用部基準点において、確認される。この遠用部基準点は、好ましくは中心合わせ点について＋４〜−４ｍｍの範囲に、異なる方法で個別に配置される。遠用部基準点の正確な位置は、ベースカーブの下方の追加の刻印およびインデックス刻印から判る。遠用部の屈折度数の測定は、図２１ａに模式的に示されている。
【０２７５】
プリズム度数
プリズム基準点においては、厚み減少プリズム（ベース位置は常に２７０度）および矯正プリズムの複合的な度数が測定される。プリズム屈折度数の測定は、図２１ｂに模式的に示されている。
【０２７６】
近用部度数
近用部基準点は、中心合わせポイントの下方−１３〜−２０ｍｍの範囲に異なる方法で個別に配置される。近用部基準点の正確な位置は、ベースカーブの下方の追加の刻印およびインデックス刻印から判る。近用部度数の測定は、図２１ｃに模式的に示されている。
【０２７７】
加入度
加入度の目標測定値は、遠用部基準点と近用部基準点の間の平均度数（球面等価）の相違に対応している。しかしながら、多くの場合は、注文された加入度と刻印されたと加入度と対応を確認することがより容易であり、かつ一般的には充分である。
【０２７８】
上述した方法による柔軟な眼鏡レンズ設計は、特に以下の有利な特徴によって、特徴付けられる。
【０２７９】
−  屈折データ（度数の最適化）、フレームおよび中心合わせデータ、ＰＤ、ＣＶＤ、ＦＩおよびＦＦＡの全てを考慮することによる視覚の弱点の最適な矯正。
−  個々のパラメータおよび屈折データの全てを最適化のときに考慮するので、視野領域は理想的にいつも最適なサイズおよびオーバーラップとなる。
−  最適化
−  装用位置において
−  全てのための屈折データについて
−  コマ収差および球面収差といった高次の収差の考慮と波面最適化
−  リスティング則の考慮
−  Ｆｒｅｉｆｏｒｍｔｅｃｈｎｏｌｏｇｉｅ（自由形態技術）
−  最も高い自然な互換性
−  １００％収束から逸脱した（例えば片目の人々のための）ピンポイントに正確な内寄せを注文できる
−  不同視の場合においても、左／右で同一の視野領域
−  遠用部視野のための屈折データの０．１２Ｄ刻みの注文
−  プリズム／ＭＤＭを含む注文
−  完全な美観
【０２８０】
好ましくは、顧客ニーズおよびパラメータによって、個別に決定されて計算された眼鏡レンズ設計は、バランスのよい汎用眼鏡レンズ設計の特徴、すなわち中央視野領域と周辺視野領域との間の調和的な移動と同時に、すべての距離について最大限に大きい視野領域を呈する。したがって、そのような設計あるいはそのような眼鏡レンズは、広範囲にわたる日常的な状況（自動車の運転、余暇、読書、その他）に対し、最適な視野の快適さを提供する。
【図１】
0005642390.tif 000022
【図２】
0005642390.tif 000023
【図３】
0005642390.tif 000024
【図４】
0005642390.tif 000025
【図５】
0005642390.tif 000026
【図６】
0005642390.tif 000027
【図７】
0005642390.tif 000028
【図８】
0005642390.tif 000029
【図９】
0005642390.tif 000030
【図１０】
0005642390.tif 000031
【図１１】
0005642390.tif 000032
【図１２】
0005642390.tif 000033
【図１３】
0005642390.tif 000034
【図１３Ａ】
0005642390.tif 000035
【図１３Ｂ】
0005642390.tif 000036
【図１４】
0005642390.tif 000037
【図１５Ａ】
0005642390.tif 000038
【図１５Ｂ】
0005642390.tif 000039
【図１６Ａ】
0005642390.tif 000040
【図１６Ｂ】
0005642390.tif 000041
【図１７】
0005642390.tif 000042
【図１８】
0005642390.tif 000043
【図１９】
0005642390.tif 000044
【図２０Ａ】
0005642390.tif 000045
【図２０Ｂ】
0005642390.tif 000046
【図２１】
0005642390.tif 000047